(57)【要約】【課題】複数のディスプレイを用いたマルチ画面表示システムにおいて、ディスプレイ間の境界部分で表示輝度が不連続になることを抑制して、高い画質でマルチ画像表示を行う。【解決手段】複数の画像表示装置により１つの画面を構成するマルチ画面表示システムを他の画像表示装置と共に構成する画像表示装置であって、発光輝度を制御可能な発光手段と、表示する画像に基づき求められる画像表示装置の発光手段の発光輝度の情報と、前記他の画像表示装置の発光手段の発光輝度の情報と、を取得する取得手段と、取得手段により取得した前記画像表示装置及び前記他の画像表示装置の発光手段の発光輝度の情報に基づき、前記画像表示装置の発光手段の発光輝度と、前記他の画像表示装置の発光手段の発光輝度と、の少なくともいずれかを補正することにより、前記画像表示装置及び前記他の画像表示装置の発光手段の発光輝度を決定する補正手段と、を備える画像表示装置。【選択図】図１
2014194525.tif 000002
【特許請求の範囲】
【請求項１】
複数の画像表示装置により１つの画面を構成するマルチ画面表示システムを他の画像表示装置と共に構成する画像表示装置であって、
発光輝度を制御可能な発光手段と、
前記画像表示装置が表示する画像に基づき求められる前記画像表示装置の発光手段の発光輝度の情報と、前記他の画像表示装置の発光手段の発光輝度の情報と、を取得する取得手段と、
前記取得手段により取得した前記画像表示装置及び前記他の画像表示装置の発光手段の発光輝度の情報に基づき、前記画像表示装置の発光手段の発光輝度と、前記他の画像表示装置の発光手段の発光輝度と、の少なくともいずれかを補正することにより、前記画像表示装置及び前記他の画像表示装置の前記発光手段の発光輝度を決定する補正手段と、
を備える画像表示装置。
【請求項２】
前記画像表示装置が表示する画像に基づき前記画像表示装置の発光手段の発光輝度を求める決定手段を更に備える請求項１に記載の画像表示装置。
【請求項３】
前記他の画像表示装置へ、前記補正手段が決定した発光輝度の情報を送信する送信手段を更に備える請求項１又は２に記載の画像表示装置。
【請求項４】
前記各画像表示装置の前記発光手段は、個別に発光輝度を制御可能な複数の分割領域を有し、
前記取得手段は、前記各画像表示装置の前記発光手段の分割領域毎の発光輝度の情報を取得し、
前記補正手段は、前記画像表示装置の発光手段の各分割領域の発光輝度と、前記他の画像表示装置の発光手段の各分割領域の発光輝度と、の少なくともいずれかを補正することにより、前記画像表示装置及び前記他の画像表示装置の前記発光手段の発光輝度を分割領域毎に決定する請求項１〜３のいずれか１項に記載の画像表示装置。
【請求項５】
前記補正手段は、前記画像表示装置の各分割領域の発光輝度と、当該各分割領域に隣接する前記他の画像表示装置の分割領域の発光輝度と、が等しくなるように、分割領域毎に補正を行う請求項４に記載の画像表示装置。
【請求項６】
前記取得手段は、前記複数の画像表示装置の優先順位の情報を更に取得し、
前記補正手段は、隣接して配置される２つの画像表示装置のうち優先順位が低い方の画像表示装置の前記発光手段の各分割領域の発光輝度を、優先順位が高い方の画像表示装置の前記発光手段の各分割領域の発光輝度に近づけるように、分割領域毎に補正を行う請求項４又は５に記載の画像表示装置。
【請求項７】
前記補正手段は、前記画像表示装置の各分割領域の発光輝度と、当該各分割領域に隣接する前記他の画像表示装置の分割領域の発光輝度と、の差が小さくなるように、分割領域毎に補正を行う請求項６に記載の画像表示装置。
【請求項８】
前記補正手段は、隣接して配置される２つの画像表示装置の間の境界を挟んで隣接する分割領域のうち、分割領域の間の発光輝度の差が所定の閾値より大きい分割領域について、前記補正を行う請求項５〜７のいずれか１項に記載の画像表示装置。
【請求項９】
前記補正手段は、隣接して配置される２つの画像表示装置の間で分割領域の大きさが異なる場合、当該２つの画像表示装置の間の境界を挟んで隣接する全ての分割領域の発光輝度が等しくなるように、分割領域毎に前記発光輝度の補正を行う請求項４に記載の画像表
示装置。
【請求項１０】
前記補正手段は、隣接して配置される２つの画像表示装置の間の境界を挟んで隣接する全ての分割領域の発光輝度を、前記取得手段により取得した前記各分割領域の発光輝度に基づき決定される共通発光輝度に補正する請求項９に記載の画像表示装置。
【請求項１１】
前記取得手段は、前記画像表示装置の複数の分割領域のうち、前記他の画像表示装置に隣接する位置にある分割領域である第１の隣接領域のサイズに関する情報と、前記他の画像表示装置の複数の分割領域のうち、前記画像表示装置に隣接する位置にある分割領域である第２の隣接領域のサイズに関する情報と、を更に取得し、
前記補正手段は、前記第１の隣接領域のサイズと前記第２の隣接領域のサイズとが異なる場合、前記第２の隣接領域のサイズに応じて前記第１の隣接領域のサイズを変更する処理と、前記第１の隣接領域のサイズに応じて前記第２の隣接領域のサイズを変更する処理と、の少なくともいずれかを行い、変更したサイズの隣接領域毎に発光輝度の補正を行う請求項４に記載の画像表示装置。
【請求項１２】
前記補正手段が、前記第２の隣接領域のサイズに応じて前記第１の隣接領域のサイズを変更する処理を実行する場合、前記補正手段は、前記画像表示装置の前記発光手段の発光輝度の補正を行い、前記補正手段が、前記第１の隣接領域のサイズに応じて前記第２の隣接領域のサイズを変更する処理を実行する場合、前記補正手段は、前記他の画像表示装置の前記発光手段の発光輝度の補正を行う請求項１１に記載の画像表示装置。
【請求項１３】
前記補正手段は、前記第１の隣接領域と前記第２の隣接領域との少なくともいずれかを、より小さいサイズの分割領域により更に分割することによりサイズの変更を行い、より小さいサイズの分割領域毎に発光輝度の補正を行う請求項１１又は１２に記載の画像表示装置。
【請求項１４】
発光輝度を制御可能な発光手段を有する複数の画像表示装置により１つの画面を構成するマルチ画面表示システムに画像を出力する画像出力装置であって、
前記各画像表示装置が表示する画像に基づき求められる前記各画像表示装置の前記発光手段の発光輝度の情報を取得する取得手段と、
前記取得手段により取得した前記各画像表示装置の前記発光手段の発光輝度の情報に基づき、前記複数の画像表示装置の少なくともいずれかの発光手段の発光輝度を補正することにより、前記各画像表示装置の前記発光手段の発光輝度を決定する補正手段と、
前記補正手段により決定した前記各画像表示装置の前記発光手段の発光輝度の情報を、前記各画像表示装置へ送信する送信手段と、
を有する画像出力装置。
【請求項１５】
前記各画像表示装置の前記発光手段は、個別に発光輝度を制御可能な複数の分割領域を有し、
前記取得手段は、前記各画像表示装置の前記発光手段の分割領域毎の発光輝度の情報を取得し、
前記補正手段は、前記複数の画像表示装置の少なくともいずれかの発光手段の各分割領域の発光輝度を補正することにより、前記各画像表示装置の前記発光手段の発光輝度を分割領域毎に補正する請求項１４に記載の画像出力装置。
【請求項１６】
前記補正手段は、前記画像表示装置の各分割領域の発光輝度と、当該各分割領域に隣接する前記他の画像表示装置の分割領域の発光輝度と、が等しくなるように、分割領域毎に補正を行う請求項１５に記載の画像出力装置。
【請求項１７】
前記取得手段は、前記複数の画像表示装置の優先順位の情報を更に取得し、
前記補正手段は、隣接して配置される２つの画像表示装置のうち優先順位が低い方の画像表示装置の前記発光手段の各分割領域の発光輝度を、優先順位が高い方の画像表示装置の前記発光手段の各分割領域の発光輝度に近づけるように、分割領域毎に補正を行う請求項１５又は１６に記載の画像出力装置。
【請求項１８】
前記補正手段は、前記画像表示装置の各分割領域の発光輝度と、当該各分割領域に隣接する前記他の画像表示装置の分割領域の発光輝度と、の差が小さくなるように、分割領域毎に補正を行う請求項１７に記載の画像出力装置。
【請求項１９】
前記補正手段は、隣接して配置される２つの画像表示装置の間の境界を挟んで隣接する分割領域のうち、分割領域の間の発光輝度の差が所定の閾値より大きい分割領域について、前記補正を行う請求項１６〜１８のいずれか１項に記載の画像出力装置。
【請求項２０】
前記補正手段は、隣接して配置される２つの画像表示装置の間で分割領域の大きさが異なる場合、当該２つの画像表示装置の間の境界を挟んで隣接する全ての分割領域の発光輝度が等しくなるように、分割領域毎に前記発光輝度の補正を行う請求項１５に記載の画像出力装置。
【請求項２１】
前記補正手段は、隣接して配置される２つの画像表示装置の間の境界を挟んで隣接する全ての分割領域の発光輝度を、前記取得手段により取得した前記各分割領域の発光輝度に基づき決定される共通発光輝度に補正する請求項２０に記載の画像出力装置。
【請求項２２】
前記取得手段は、前記画像表示装置の複数の分割領域のうち、前記他の画像表示装置に隣接する位置にある分割領域である第１の隣接領域のサイズに関する情報と、前記他の画像表示装置の複数の分割領域のうち、前記画像表示装置に隣接する位置にある分割領域である第２の隣接領域のサイズに関する情報と、を更に取得し、
前記補正手段は、前記第１の隣接領域のサイズと前記第２の隣接領域のサイズとが異なる場合、前記第２の隣接領域のサイズに応じて前記第１の隣接領域のサイズを変更する処理と、前記第１の隣接領域のサイズに応じて前記第２の隣接領域のサイズを変更する処理と、の少なくともいずれかを行い、変更したサイズの隣接領域毎に発光輝度の補正を行う請求項１５に記載の画像出力装置。
【請求項２３】
前記補正手段が、前記第２の隣接領域のサイズに応じて前記第１の隣接領域のサイズを変更する処理を実行する場合、前記補正手段は、前記画像表示装置の前記発光手段の発光輝度の補正を行い、前記補正手段が、前記第１の隣接領域のサイズに応じて前記第２の隣接領域のサイズを変更する処理を実行する場合、前記補正手段は、前記他の画像表示装置の前記発光手段の発光輝度の補正を行う請求項２２に記載の画像出力装置。
【請求項２４】
前記補正手段は、前記第１の隣接領域と前記第２の隣接領域との少なくともいずれかを、より小さいサイズの分割領域により更に分割することによりサイズの変更を行い、より小さいサイズの分割領域毎に発光輝度の補正を行う請求項２２又は２３に記載の画像出力装置。
【請求項２５】
複数の画像表示装置により１つの画面を構成するマルチ画面表示システムを他の画像表示装置と共に構成する、発光輝度を制御可能な発光手段を有する画像表示装置の制御方法であって、
前記画像表示装置が表示する画像に基づき求められる前記画像表示装置の発光手段の発光輝度の情報と、前記他の画像表示装置の発光手段の発光輝度の情報と、を取得する取得工程と、
前記取得工程により取得した前記画像表示装置及び前記他の画像表示装置の発光手段の発光輝度の情報に基づき、前記画像表示装置の発光手段の発光輝度と、前記他の画像表示装置の発光手段の発光輝度と、の少なくともいずれかを補正することにより、前記画像表示装置及び前記他の画像表示装置の前記発光手段の発光輝度を決定する補正工程と、
を有する画像表示装置の制御方法。
【請求項２６】
発光輝度を制御可能な発光手段を有する複数の画像表示装置により１つの画面を構成するマルチ画面表示システムに画像を出力する画像出力装置の制御方法であって、
前記各画像表示装置が表示する画像に基づき求められる前記各画像表示装置の前記発光手段の発光輝度の情報を取得する取得工程と、
前記取得工程により取得した前記各画像表示装置の前記発光手段の発光輝度の情報に基づき、前記複数の画像表示装置の少なくともいずれかの発光手段の発光輝度を補正することにより、前記各画像表示装置の前記発光手段の発光輝度を決定する補正工程と、
前記補正工程により決定した前記各画像表示装置の前記発光手段の発光輝度の情報を、前記各画像表示装置へ送信する送信工程と、
を有する画像出力装置の制御方法。
【発明の詳細な説明】
【技術分野】
【０００１】
本発明は画像表示装置、画像出力装置、及びその制御方法に関する。
【背景技術】
【０００２】
複数の画像表示装置（以下、ディスプレイという）を縦横（マトリクス状）に隣接して配置し、互いに接続することで、全体で１つの画像表示装置として構成するマルチ画面表示システム（マルチ画像表示装置）が広く採用されている。（例えば、特許文献１参照。）以下、マルチ画面表示システムにおける画像の表示を、マルチ画像表示という。マルチ画面表示システムに使用される画像表示装置には、軽量化や薄型化、設置性などの観点から、液晶ディスプレイが多く採用されている。
動画関連機器に関する業界標準化団体であるＶＥＳＡ（Video Electronics Standard Association）においても、マルチ画面表示システムに関する規格が提案されている。この提案では、シンク機器（ディスプレイ）が送信するDisplay IDにディスプレイの接続構成、配置情報を記載し、ソース機器側（ＰＣなどの画像出力装置）でマルチ画面表示システムの構成を把握できるようにするものである。
【０００３】
液晶ディスプレイにおいて、画面を構成する複数の制御領域毎に、入力される画像データに応じて、ＬＥＤ（Light Emitting Diode）などで構成されるバックライトの光源の発光輝度を制御する技術がある。また、制御領域毎に、入力される画像データに応じてバックライトの光源の発光輝度を制御すると共に、該発光輝度のレベルに応じて画像データを補正する技術がある。これらの技術はローカルディミングと呼ばれ、ローカルディミング技術を用いることで画像表示のコントラストを向上させることができ、黒浮きを抑制することができる。
【先行技術文献】
【特許文献】
【０００４】
【特許文献１】特開２０１２−５８４７５号公報
【発明の概要】
【発明が解決しようとする課題】
【０００５】
しかしながら、マルチ画面表示システムにおいて、ローカルディミング制御を用いた場合、問題が発生する場合がある。ここで、図２４（ａ）〜図２４（ｄ）を用いて、ローカルディミング制御によって発生する問題について説明する。
ローカルディミング処理機能を有したディスプレイ１とディスプレイ２とを並べてマルチ画面表示システムを構成する。ディスプレイ１、２のバックライトユニットは、領域分割線３で示されるように複数の領域に分割され、分割領域毎に発光輝度が制御可能である（以下、発光輝度を制御可能な分割領域をバックライト制御領域と呼ぶ）。
【０００６】
図２４（ａ）は、ディスプレイ１、２にオブジェクト４が跨って表示されている様子を示している。オブジェクト４は高い画素値（輝度）の画素で構成され、オブジェクト４を除く背景画像は低い画素値（輝度）の画素で構成されているものとする。
図２４（ｂ）は、図２４（ａ）の画像を表示し、ローカルディミング制御を実施した際のバックライト制御領域毎の発光輝度値を示している。画素値（輝度）の高いオブジェクト４を表示するバックライト制御領域の発光輝度は高い値となり、画素値（輝度）の低い背景画像を表示するバックライト制御領域の発光輝度は低い値となる。
図２４（ｃ）は、図２４（ｂ）のＡ−Ｂ断面におけるバックライトユニットの光源６と、照射光７とを示している。また、図２４（ｄ）は、Ａ−Ｂ断面における各バックライト
制御領域の光源が、図２４（ｂ）の発光輝度で点灯している場合のバックライト全体での照射光分布１０（輝度分布）を示している。
【０００７】
ここで、バックライトの照射光分布１０は光源６からの照射光７の干渉によって、バックライト制御領域の中央部分に山をもった分布となっている。そのため、液晶パネルに入射する光の発光輝度に傾斜が発生し、液晶パネル上での表示輝度（画素値と発光輝度との合成により決まる輝度）が目標輝度にならなくなる場合がある。そこで、画像表示が適切な表示輝度で行われるために、入力画像に対して補正する。具体的には、入力画像の画素値に基づいて最適な表示輝度の目標値（目標輝度）を画素毎に設定し、表示輝度が目標輝度になるように入力画像の画素値を補正する。例えば、照射光の干渉によって表示輝度が目標輝度より高くなる画素は、画素値を低下させる補正をし、液晶パネルの透過率を下げることで表示輝度が目標輝度になるよう調整する。
【０００８】
しかし、画素値と発光輝度の組み合わせによっては、表示輝度を目標輝度に一致させるための画素値の補正ができないことがある。
例えば、図２４（ｂ）のバックライト制御領域５のＡ−Ｂライン上の入力画像は画素値（輝度）の低い背景画像であるが、このバックライト制御領域５の発光輝度は高い値（１２８）となっている。このとき、画素値（輝度）がゼロ（黒）に近い値であると、表示輝度を目標輝度にするために必要な画素値の低下補正量が元の画素値より大きくなってしまうことがある。その場合、表示輝度を目標輝度まで下げることができず、結果として表示画像に黒浮きが発生する。
【０００９】
さらに、マルチ画面表示システムでは、ディスプレイ間の境界付近で輝度の不連続性が目立つという問題がある。
図２４（ｃ）、図２４（ｄ）に示すように、バックライト制御領域毎に発光輝度値が違っていても、同じ筺体内であれば隣り合うバックライト制御領域からの照射光７の干渉によって、バックライト制御領域間の境界８（領域境界）周辺の発光輝度は連続性を持つ。
ところが、ディスプレイ１の光源６からの照射光７は、ディスプレイ１の筺体９に遮られる。そのため、ディスプレイ１の光源６からの照射光７はディスプレイ２の光源からの照射光と互いに干渉できず、ディスプレイ間で照射光分布１０に段差が生じる。その結果、ディスプレイ間で表示輝度の不連続性が目立ってしまい、ユーザに違和感を与えてしまうという問題が、マルチ画面表示システムにはあった。
【００１０】
本発明は、複数のディスプレイを用いたマルチ画面表示システムにおいて、ディスプレイ間の境界部分で表示輝度が不連続になることを抑制して、高い画質でマルチ画像表示を行うことを目的とする。
【課題を解決するための手段】
【００１１】
本発明は、複数の画像表示装置により１つの画面を構成するマルチ画面表示システムを他の画像表示装置と共に構成する画像表示装置であって、
発光輝度を制御可能な発光手段と、
前記画像表示装置が表示する画像に基づき求められる前記画像表示装置の発光手段の発光輝度の情報と、前記他の画像表示装置の発光手段の発光輝度の情報と、を取得する取得手段と、
前記取得手段により取得した前記画像表示装置及び前記他の画像表示装置の発光手段の発光輝度の情報に基づき、前記画像表示装置の発光手段の発光輝度と、前記他の画像表示装置の発光手段の発光輝度と、の少なくともいずれかを補正することにより、前記画像表示装置及び前記他の画像表示装置の前記発光手段の発光輝度を決定する補正手段と、
を備える画像表示装置である。
【００１２】
本発明は、発光輝度を制御可能な発光手段を有する複数の画像表示装置により１つの画面を構成するマルチ画面表示システムに画像を出力する画像出力装置であって、
前記各画像表示装置が表示する画像に基づき求められる前記各画像表示装置の前記発光手段の発光輝度の情報を取得する取得手段と、
前記取得手段により取得した前記各画像表示装置の前記発光手段の発光輝度の情報に基づき、前記複数の画像表示装置の少なくともいずれかの発光手段の発光輝度を補正することにより、前記各画像表示装置の前記発光手段の発光輝度を決定する補正手段と、
前記補正手段により決定した前記各画像表示装置の前記発光手段の発光輝度の情報を、前記各画像表示装置へ送信する送信手段と、
を有する画像出力装置である。
【００１３】
本発明は、複数の画像表示装置により１つの画面を構成するマルチ画面表示システムを他の画像表示装置と共に構成する、発光輝度を制御可能な発光手段を有する画像表示装置の制御方法であって、
前記画像表示装置が表示する画像に基づき求められる前記画像表示装置の発光手段の発光輝度の情報と、前記他の画像表示装置の発光手段の発光輝度の情報と、を取得する取得工程と、
前記取得工程により取得した前記画像表示装置及び前記他の画像表示装置の発光手段の発光輝度の情報に基づき、前記画像表示装置の発光手段の発光輝度と、前記他の画像表示装置の発光手段の発光輝度と、の少なくともいずれかを補正することにより、前記画像表示装置及び前記他の画像表示装置の前記発光手段の発光輝度を決定する補正工程と、
を有する画像表示装置の制御方法である。
【００１４】
本発明は、発光輝度を制御可能な発光手段を有する複数の画像表示装置により１つの画面を構成するマルチ画面表示システムに画像を出力する画像出力装置の制御方法であって、
前記各画像表示装置が表示する画像に基づき求められる前記各画像表示装置の前記発光手段の発光輝度の情報を取得する取得工程と、
前記取得工程により取得した前記各画像表示装置の前記発光手段の発光輝度の情報に基づき、前記複数の画像表示装置の少なくともいずれかの発光手段の発光輝度を補正することにより、前記各画像表示装置の前記発光手段の発光輝度を決定する補正工程と、
前記補正工程により決定した前記各画像表示装置の前記発光手段の発光輝度の情報を、前記各画像表示装置へ送信する送信工程と、
を有する画像出力装置の制御方法である。
【発明の効果】
【００１５】
本発明によれば、複数のディスプレイを用いたマルチ画面表示システムにおいて、ディスプレイ間の境界部分で表示輝度が不連続になることを抑制して、高い画質でマルチ画像表示を行うことができる。
【図面の簡単な説明】
【００１６】
【図１】実施例１のディスプレイの概略構成を示すブロック図
【図２】実施例１、２のディスプレイのマルチ画面表示システムの構成を示す図
【図３】実施例１のマルチ画面表示システム構築に必要な初期設定フロー図
【図４】実施例１のディスプレイ境界付近の発光輝度を一致させる処理フロー図
【図５】実施例１のディスプレイのバックライト制御領域毎の発光輝度を示す図
【図６】実施例２のディスプレイの概略構成を示すブロック図
【図７】実施例２のディスプレイのバックライト制御領域を示した説明図
【図８】実施例２のマルチ画面表示システム構築に必要な初期設定フロー図
【図９】実施例２のディスプレイ境界付近の発光輝度を一致させる処理フロー図
【図１０】実施例２のディスプレイのバックライト制御領域毎の発光輝度を示す図
【図１１】実施例３のディスプレイの概略構成を示すブロック図
【図１２】実施例３のマルチ画面表示システム構築に必要な初期設定フロー図
【図１３】実施例３のディスプレイ境界付近の発光輝度を一致させる処理を示す図
【図１４】実施例３のディスプレイのバックライト制御領域毎の発光輝度を示す図
【図１５】実施例４のディスプレイの概略構成を示すブロック図
【図１６】実施例４のマルチ画面表示システム構築に必要な初期設定フロー図
【図１７】実施例４のディスプレイ境界付近の発光輝度を一致させる処理を示す図
【図１８】実施例４のマルチ画面表示システム構築処理フロー図
【図１９】実施例４のマルチ画面表示システム構築処理フロー図
【図２０】実施例５のサブ制御領域を示す説明図
【図２１】実施例５のサブ制御領域の設定処理を示した説明図
【図２２】実施例５のサブ制御領域の信号処理を示した説明図
【図２３】実施例５のサブ制御領域毎の補正発光輝度を示した説明図
【図２４】本発明が解決しようとする課題を説明する説明図
【発明を実施するための形態】
【００１７】
（実施例１）
以下、本発明の実施例１に係る表示装置及びその制御方法について説明する。
実施例１では、図１に示されるように、画像出力装置１００と、ディスプレイ２００（画像表示装置）と、ディスプレイ３００とを用いてマルチ画面表示システム（マルチディスプレイシステム）を構築する。ディスプレイの画面サイズ、解像度、バックライト制御領域（分割領域）の分割数、各バックライト制御領域の分割サイズは、ディスプレイ間で一致しているものとする。バックライト制御領域は、バックライトの発光を各々独立に制御可能な制御単位である。なお、マルチ画面表示システムを構成するディスプレイの数は２台に限らず、３台以上であってもよい。また、実施例１では、表示装置が、バックライトと液晶パネルを有する液晶表示装置である場合の例を説明するが、表示装置は液晶表示装置に限らない。例えば、液晶パネルの代わりに、バックライトからの光を透過する表示素子として液晶素子以外の表示素子を有する表示パネルが用いられてもよい。また、表示装置は、液晶素子の代わりにＭＥＭＳ（Micro Electro Mechanical System）シャッター
を用いたＭＥＭＳシャッター方式ディスプレイであってもよい。
【００１８】
図１は、実施例１に係る画像出力装置１００、ディスプレイ２００の概略構成を示すブロック図である。ディスプレイ３００は、ディスプレイ２００と同じ構成である。画像出力装置１００は、ディスプレイ２００，３００に画像データを供給する外部装置であり、ＰＣ、メディアプレーヤ、ＤＶＤプレーヤ、ＴＶ、ゲーム機等を例示できる。
【００１９】
画像出力装置１００は、画像生成部１０１、特徴量検出部１０２、発光輝度決定部１０３、発光輝度補正部１０４、マルチ画面制御部１０５、画像補正部１０６、平滑補正係数決定部１０９、画像出力部１１０、通信部１１１を備える。また、画像補正部１０６は画素値調整部１０７と平滑処理部１０８を備える。
【００２０】
画像生成部１０１は、マルチ画面表示システムで表示させる画像の画像データを出力する。画像データは複数のフレームで構成されるものとする。実施例１においては、画像生成部１０１は、画像出力装置１００内部に備える記憶装置（不図示）から画像データを読み出すものとする。なお、画像生成部１０１は、画像出力装置１００外部より、有線又は無線の通信手段を介して画像データを取得しても良いし、光ディスクや不揮発メモリ装置等の外部記録メディアから画像データを取得しても良い。
【００２１】
特徴量検出部１０２は、画像生成部１０１より入力された画像データの特徴量を検出す
る。実施例１では、特徴量検出部１０２は、特徴量として、輝度のヒストグラム（以下、輝度ヒストグラムという）を取得するものとする。特徴量検出部１０２は、後述する各バックライト制御領域に対応する画像領域の輝度ヒストグラムを検出する。
【００２２】
発光輝度決定部１０３は、特徴量検出部１０２が検出した輝度ヒストグラムを取得し、輝度ヒストグラムに基づいてディスプレイ２００とディスプレイ３００それぞれのバックライトの発光輝度を決定する。発光輝度決定部１０３は、バックライト制御領域毎（分割領域毎）に発光輝度を決定する。発光輝度決定部１０３はバックライト制御領域の情報をマルチ画面制御部１０５より取得する。発光輝度決定部１０３は、画像データの画素値（輝度）が低い画素で構成される画像領域に対応するバックライト制御領域の発光輝度を低く、画像データの画素値（輝度）が高い画素で構成される画像領域に対応するバックライト制御領域の発光輝度を高く決定する。
【００２３】
発光輝度補正部１０４は、発光輝度決定部１０３で決定されたバックライト制御領域毎の発光輝度を補正する。発光輝度補正部１０４は、バックライト制御領域のうち、隣接するディスプレイとの境界に接しているバックライト制御領域である隣接領域の発光輝度を、マルチ画面制御部１０５に指示に基づき補正する。マルチ画面制御部１０５による隣接領域の発光輝度の補正の指示については後述する。発光輝度補正部１０４は、補正した発光輝度を通信部１１１を介して各ディスプレイに送信する。
【００２４】
マルチ画面制御部１０５は、接続しているディスプレイ２００、ディスプレイ３００より、通信部１１１を介して各ディスプレイが内部に保持するディスプレイ情報を取得する。ディスプレイ情報の詳細は後述する。マルチ画面制御部１０５は、取得したディスプレイ情報を解析し、接続された複数のディスプレイを用いてマルチ画像表示を行うかどうかを判断し、マルチ画像表示する際の各ディスプレイの配置を認識する。また、接続されているディスプレイの優先順位を設定し、その情報をマルチ画面制御部１０５内部に保持する。前記優先順位は、各ディスプレイが備える画像処理パラメータのうち、マルチ画面表示システムとして使用するパラメータを決定する際に用いる。
また、ディスプレイ情報内のバックライト情報から、ディスプレイ境界に接している各ディスプレイのバックライト制御領域（隣接領域）を認識し、必要に応じて隣接領域の発光輝度の補正を発光輝度補正部１０４に指示する。
【００２５】
画像補正部１０６は、画素値調整部１０７と平滑処理部１０８とから構成され、画像生成部１０１から出力された画像データに対して、画素値の補正を行い、補正後の画像データを画像出力部１１０に出力する。
【００２６】
画素値調整部１０７は、発光輝度補正部１０４から補正後の発光輝度を取得し、取得した発光輝度に応じて、入力される画像データの画素値を調整する。
具体的には、画素値調整部１０７は、全てのバックライト制御領域の発光輝度値を取得し、表示パネルに入射する光の輝度を画素毎に算出する。そして、各画素の画素値（透過率）と、各画素の入射光の輝度と、から決まる表示輝度が、予め決められた目標値（目標輝度）となるように画素値を補正する。実施例１では、前記目標輝度は、入力される画像データの画素値に応じて決まるものとする。つまり、バックライトの発光輝度が上がることで表示輝度が目標輝度より高くなる場合には、画素値を低下させることで、表示輝度が目標輝度になるようにする。
【００２７】
平滑処理部１０８は、後述する平滑補正係数を用いて、バックライト制御領域間の急な表示輝度の変化を低減するための平滑処理を行う。具体的には、ローカルディミング処理を実施することで、一部のバックライト制御領域（高輝度制御領域）の発光輝度が、周辺のバックライト制御領域の発光輝度より際立って高く決定されることがある。そうすると
、画像によっては、高輝度制御領域と周辺のバックライト制御領域との境界で急激な表示輝度の変化が発生し、表示画質の低下を招く場合がある。
【００２８】
そこで、バックライト制御領域間で大きな発光輝度差がある場合には、表示輝度が緩やかに変化するように平滑処理を行う。実施例１では、この平滑処理は、画像データの画素値を補正することで実現し、高輝度制御領域に対応する画像領域周辺の画素の画素値に対して、高輝度制御領域に対応する画像領域からの距離に反比例した係数を掛けることで表示輝度の急激な変化を抑制する。
【００２９】
ここで用いる係数が平滑補正係数であり、平滑補正係数とは、平滑処理における、平滑の度合いを示す平滑勾配（平滑処理の幅や平滑処理の傾き）を決定する係数である。平滑処理部１０８は、平滑補正係数決定部１０９にて決定された平滑補正係数を取得して平滑処理に用いる。なお、平滑処理は、高輝度制御領域周辺のバックライト制御領域の発光輝度を変化させることで実現してもよい。この場合、例えば、暗い領域の発光輝度の値を現状の２倍にする必要があるとすると、平滑補正係数は２となり、現状の暗い領域の発光輝度に２を乗じた値の発光輝度で現状の暗い領域のバックライトが発光するように平滑処理が行われる。
【００３０】
平滑補正係数決定部１０９は、表示輝度の急激な変化を抑制するために画像データの画素値を補正する平滑処理に用いる平滑補正係数を決定する。平滑補正係数決定部１０９は、マルチ画面制御部１０５より、接続されている全てのディスプレイの平滑補正係数情報を取得し、マルチ画面表示システムで共通に使用する平滑補正係数を決定する。実施例１では、平滑補正係数決定部１０９は、ディスプレイ２００の平滑補正係数情報と、ディスプレイ３００の平滑補正係数情報とを取得する。平滑補正係数決定部１０９は、マルチ画面制御部１０５が設定したディスプレイの優先順位が高い方の平滑補正係数を、マルチ画面表示システムの平滑補正係数とする。
【００３１】
画像出力部１１０は、マルチ画面制御部１０５からディスプレイ２００とディスプレイ３００の配置情報を取得し、画像データから、各ディスプレイで表示する領域の画像データを生成し（切り出し）、各ディスプレイに出力する。
【００３２】
通信部１１１は、ディスプレイ２００、ディスプレイ３００と通信を行い、各ディスプレイのディスプレイ情報の受信や、発光輝度情報の送信、制御情報の送受信を行う。具体的には、通信部１１１は、各ディスプレイの通信部と、有線又は無線のデータ通信が可能な手段により接続される。例えば、有線接続の場合、通信部１１１と各ディスプレイの通信部とは、IEEE1394やDisplay Portなどのケーブルによって接続される。
【００３３】
ディスプレイ２００は、画像入力部２０１、表示パネル部２０２、ディスプレイ情報管理部２０３、バックライト部２０４、通信部２０５を備える。
【００３４】
画像入力部２０１は、画像出力装置１００より画像データを受け取り、表示パネル部２０２へ出力する。
【００３５】
表示パネル部２０２は、表示パネル２０２１と、表示パネル２０２１を駆動するドライバ２０２２と、入力される画像データに基づいてドライバ２０２２をコントロールするコントロール基板２０２３とを有する。そして、表示パネル部２０２は、画像入力部２０１から出力される画像データに基づく画像を表示する。
【００３６】
ディスプレイ情報管理部２０３は、ディスプレイ２００が有する各種情報を、ディスプレイ情報として管理する。
ここで、ディスプレイ情報とは、ディスプレイ２００に設定されているディスプレイ固有の情報であり、マルチ画面表示システムを構成するディスプレイであるかどうかの情報も含む。ディスプレイ情報は、ディスプレイ２００が画像出力装置１００と接続された際に、通信部２０５を介して画像出力装置１００へ送信される。
なお、実施例１において、ディスプレイ情報は、予めユーザ等によって各ディスプレイに設定されているものとする。
【００３７】
バックライト部２０４は、１つ以上の光源を含むバックライト２０４１と、バックライト２０４１の光源を制御する制御回路２０４２と、光源から照射される光を拡散させる拡散板などの光学ユニット２０４３とを有する。バックライト２０４１は、独立（個別）に発光輝度（発光量）を制御可能な複数のバックライト制御領域から構成される。実施例１では、バックライト２０４１は、横方向（設置面に水平な方向）にｍ個、縦方向（設置面に垂直な方向）にｎ個（ｍ、ｎは整数）のｍ×ｎ個のバックライト制御領域を有するものとする。各バックライト制御領域の発光輝度は、通信部２０５を介して画像出力装置１００から取得した発光輝度に応じて、制御回路２０４２によって制御される。
【００３８】
なお、バックライト２０４１において、各バックライト制御領域は、独立に発光を制御可能な最小制御単位の１又は複数の集合によって構成されるものとする。バックライト制御領域が１個の最小制御単位から構成される場合、１つのバックライト制御領域を更に細かいバックライト制御領域によって分割することはできない。バックライト制御領域が複数個の最小制御単位から構成される場合、同じバックライト制御領域を構成する複数の最小制御単位に対し同じ発光制御を行う。この場合、１つのバックライト制御領域を更に細かいバックライト制御領域によって分割することもできる。
【００３９】
通信部２０５は、ディスプレイ情報管理部２０３よりディスプレイ情報を取得し、ディスプレイ２００が画像出力装置１００と接続された際にディスプレイ情報を画像出力装置１００へ送信する。また、画像出力装置１００からバックライト制御領域毎に決定された発光輝度情報を受信し、バックライト部２０４へ出力する。
【００４０】
以下、図１〜図５（ａ）、図５（ｂ）を用いて、マルチ画面表示システムを構築する具体的な処理について説明する。
実施例１のマルチ画面表示システムは、図２（ａ）に示すように、２つのディスプレイ（ディスプレイ２００とディスプレイ３００）を左右に並べて配置し実現されているものとする。
また、実施例１においてディスプレイ２００が画像出力装置１００へ送信するディスプレイ情報のデータブロック図を、図２（ｂ）に示す。
【００４１】
ディスプレイ情報は、ディスプレイ２００に関するスペック情報Ｄ２０１、ディスプレイ２００が備えるバックライト情報Ｄ２０２、ディスプレイ２００で構築されるマルチ画面表示システム情報Ｄ２０３で構成される。ただし、実施例１においては、各データブロックＤ２０１、Ｄ２０２、Ｄ２０３には、それぞれの詳細情報データブロックを示すポインタ情報が格納されているものとする。
【００４２】
スペック情報Ｄ２０１の詳細情報データブロックは、ディスプレイサイズＤ２０１１、ディスプレイ解像度Ｄ２０１２で構成される。ディスプレイサイズＤ２０１１には、水平サイズ（Hsize）、垂直サイズ（Vsize）が記載されている。ディスプレイ解像度Ｄ２０１２には水平方向の解像度（Hres）、垂直方向の解像度（Vres）が記載されている。
【００４３】
バックライト情報Ｄ２０２の詳細情報データブロックは、ローカルディミング実施可否フラグＤ２０２１、バックライト分割数Ｄ２０２２、バックライト制御領域サイズＤ２０
２３、平滑補正係数情報Ｄ２０２４で構成される。
【００４４】
ローカルディミング実施可否フラグＤ２０２１はディスプレイがローカルディミング機能を備えているかを示す情報であり、ローカルディミング機能を備えている場合「１」が記載される。実施例１のディスプレイ２００はローカルディミング機能を有し、ローカルディミング実施可否フラグＤ２０２１は「１」であるとする。
【００４５】
バックライト分割数Ｄ２０２２にはバックライト制御領域による水平方向の分割数（ｍ）、及び垂直方向の分割数（ｎ）が記載されている。
バックライト制御領域サイズＤ２０２３には、各バックライト制御領域の水平サイズ（ｘ）、垂直サイズ（ｙ）が記載されている。
平滑補正係数情報２０２４には、平滑処理部１０８で実施する平滑処理に用いる画素値低下処理の係数が記載されている。
【００４６】
マルチ画面表示システム情報Ｄ２０３の詳細情報データブロックは、マルチ画面表示システムフラグＤ２０３１と、システム構成情報Ｄ２０３２、ディスプレイ２００の配置座標Ｄ２０３３で構成される。
【００４７】
マルチ画面表示システムフラグＤ２０３１はディスプレイ２００がマルチ画像表示をしているディスプレイであるか（マルチ画面表示システムを構成するディスプレイであるか）を示す情報であり、マルチ画像表示をしている場合には「１」が記載される。
【００４８】
システム構成情報Ｄ２０３２はマルチ画面表示システムを構成する全てのディスプレイの配置構成を示す情報であり、水平方向に配置されたディスプレイの数（TotalX）、垂直方向に配置されたディスプレイの数（TotalY）が記載されている。
ディスプレイ配置座標Ｄ２０３３は、マルチ画面表示システムにおけるディスプレイ２００の配置位置を示す座標情報であり、ディスプレイ２００の場合、ディスプレイ配置座標として（１，１）が記載されている。
【００４９】
図３は、画像出力装置１００が、ディスプレイ２００とディスプレイ３００とでマルチ画面表示システムを構築する際に実行する初期設定処理を示したフロー図である。本処理は、ディスプレイ２００とディスプレイ３００が画像出力装置１００に接続された際に実行される。
画像出力装置１００にディスプレイ２００とディスプレイ３００とが接続されると、マルチ画面制御部１０５はそれぞれのディスプレイから送信されるディスプレイ情報を取得する（Ｓ３０１、Ｓ３０２）。
【００５０】
マルチ画面制御部１０５は取得したディスプレイ情報を解析し、接続された複数のディスプレイを用いてマルチ画像表示を行うかの判断をする（Ｓ３０３）。
具体的には、マルチ画面制御部１０５は、まず、ディスプレイ２００とディスプレイ３００のディスプレイ情報から、マルチ画面表示システムフラグが「１」であることと、ローカルディミング実施可否フラグが「１」であることを確認する。
実施例１では、マルチ画面制御部１０５は、前記２つのフラグが「１」である場合に、マルチ画像表示を実現するための初期設定（Ｓ３０４〜Ｓ３０７）を行う。
【００５１】
ディスプレイ２００とディスプレイ３００の、ディスプレイサイズ、ディスプレイ解像度、バックライト制御領域の分割数、各バックライト制御領域の分割サイズが一致しているものとする。なお、ディスプレイ情報を取得し、前記の情報が一致しない場合は、両ディスプレイのローカルディミング制御機能を無効にするバックライト制御を実行してもよい。また、両ディスプレイのバックライト制御領域の分割数、各バックライト制御領域の
サイズ、各バックライト制御領域の配置構成が一致しない場合については、後述の実施例２で説明する制御を行うことでマルチ画像表示を行うことができる。
【００５２】
マルチ画像表示を実現するための初期設定について以下に説明する。
まず、マルチ画面制御部１０５は、マルチ画面表示システムを構成するディスプレイ間の優先順位を決定する（Ｓ３０４）。
この優先順位は、マルチ画面表示システムでローカルディミング処理にてディスプレイ境界の発光輝度を調整する際、発光輝度をどのディスプレイに合わせるかの判断に使用する。発光輝度を調整する具体的な方法は後述する。
なお、実施例１においては、各ディスプレイにユーザ操作によって優先順位が設定されているものとし、ディスプレイ３００よりディスプレイ２００の優先順位が高く設定されているとする。
【００５３】
次に、マルチ画面制御部１０５は、システム構成情報とディスプレイ配置座標より、ディスプレイ２００とディスプレイ３００の配置の位置関係を認識する（Ｓ３０５）。
次に、マルチ画面制御部１０５は、ディスプレイ２００とディスプレイ３００の、それぞれのバックライト制御領域のうち、ディスプレイ境界に接しているバックライト制御領域を隣接領域として設定する（Ｓ３０６）。実施例１においては、図２（ａ）に示す通りディスプレイ２００とディスプレイ３００とが左右に並べて設置されており、ディスプレイ２００では最右端にあるバックライト制御領域が隣接領域となる。ディスプレイ３００では、最左端にあるバックライト制御領域が隣接領域となる。
【００５４】
次に、平滑補正係数決定部１０９は、マルチ画像処理システムの平滑補正係数を決定する（Ｓ３０７）。具体的には、平滑補正係数決定部１０９は、マルチ画面制御部１０５が取得した両ディスプレイの平滑補正係数情報を確認し、優先順位が高い方のディスプレイ（ここではディスプレイ２００）の平滑補正係数をマルチ画像処理システムの平滑補正係数とする。
以上が、実施例１における、マルチ画像表示を実現するための初期設定である。
【００５５】
次に、図４を用いて、画像出力装置１００が、ディスプレイ２００とディスプレイ３００の境界に発生する輝度差を抑制するために実行する処理フローを説明する。なお、本処理は、出力される画像データの１フレーム毎に実行される。
画像出力装置１００の特徴量検出部１０２は画像データの特徴量である輝度ヒストグラムを検出する（Ｓ４０１）。
【００５６】
発光輝度決定部１０３は、特徴量検出部１０２が検出した輝度ヒストグラムを取得し、当該輝度ヒストグラムに基づいてバックライト２０４１の発光輝度を決定する。この時、発光輝度決定部１０３は、マルチ画面制御部１０５からディスプレイ２００のバックライト制御領域の分割数、サイズを取得し、バックライト制御領域毎に発光輝度を算出する。同様に、発光輝度決定部１０３は、ディスプレイ３００のバックライトのバックライト制御領域毎の発光輝度も算出する（Ｓ４０２）。
【００５７】
発光輝度補正部１０４は、発光輝度決定部１０３よりディスプレイ２００とディスプレイ３００のバックライト制御領域毎の発光輝度を取得する。さらに、発光輝度補正部１０４は、マルチ画面制御部１０５からディスプレイ２００とディスプレイ３００の隣接領域の情報を取得する。そして、発光輝度補正部１０４は、ディスプレイ２００の各隣接領域の発光輝度と、当該各隣接領域と横方向において隣接するディスプレイ３００の隣接領域の発光輝度と、の差分値を隣接領域毎に算出する（Ｓ４０３）。
【００５８】
次に、発光輝度補正部１０４は、Ｓ４０３で算出した差分値が所定の閾値より大きい場
合は、Ｓ３０４で決定した優先順位に基づいて隣接領域の発光輝度を補正する（Ｓ４０４）。
実施例１では、優先順位はディスプレイ２００がディスプレイ３００より高いので、発光輝度補正部１０４は、ディスプレイ３００の隣接領域の発光輝度が、ディスプレイ２００の隣接領域の発光輝度と同じ値になるよう補正する。
【００５９】
画素値調整部１０７は、発光輝度補正部１０４から補正後の発光輝度を取得し、取得した発光輝度に応じて、入力画像データの画素値を調整する（Ｓ４０５）。発光輝度補正部１０４から取得される発光輝度は、画像データの各画素に入射するバックライトからの光の輝度を表す。
平滑処理部１０８は、Ｓ３０７で決定した平滑補正係数情報を平滑補正係数決定部１０９より取得し、平滑補正係数に基づいて、画素値調整部１０７で調整された画像データに対し平滑処理を行う（Ｓ４０６）。
【００６０】
画像出力部１１０は、平滑処理部１０８より画像データを取得し、Ｓ３０５で認識したディスプレイ配置に基づいて、当該画像データから、各ディスプレイで表示する画像の画像データを生成し、生成した画像データを各ディスプレイに出力する（Ｓ４０７）。
また、通信部１１１は、発光輝度決定部１０３よりバックライト制御領域毎の発光輝度を取得し、各ディスプレイに送信する（Ｓ４０８）。
【００６１】
ディスプレイ２００は、通信部２０５で受信した発光輝度に基づいてバックライト２０４１の発光を制御し、画像入力部２０１に入力された画像データに基づき表示パネル部２０２の透過率を制御することで画像を表示する（Ｓ４０９）。また、ディスプレイ３００も同様の処理を行い、画像を表示する（Ｓ４１０）。
【００６２】
ここで、図５を用いて、ディスプレイ３００の隣接領域に対する発光輝度の補正処理を具体的に説明する。
図５（ａ）は、ディスプレイ２００、ディスプレイ３００の各隣接領域の補正前の発光輝度を示した図である。図５（ｂ）は、前記隣接領域の補正後の発光輝度を示した図である。
図５において、ディスプレイ３００のバックライト制御領域３０１は、ディスプレイ２００のバックライト制御領域２０１と横方向において隣接している。ディスプレイ３００のバックライト制御領域３０２は、ディスプレイ２００のバックライト制御領域２０２と横方向において隣接している。ディスプレイ３００のバックライト制御領域３０３は、ディスプレイ２００のバックライト制御領域２０３と横方向において隣接している。ディスプレイ３００のバックライト制御領域３０４は、ディスプレイ２００のバックライト制御領域２０４と横方向において隣接している。
【００６３】
図５（ａ）の各バックライト制御領域に記載されている数値は、Ｓ４０２で決定された発光輝度である。ディスプレイ２００のバックライト制御領域２０１、２０２、２０３、２０４の発光輝度は、それぞれ１２８、６４、１２８、６４である。また、ディスプレイ３００のバックライト制御領域３０１、３０２、３０３、３０４の発光輝度は、それぞれ６４、６４、１２８、６４である。
【００６４】
上述したＳ４０３の処理にて、隣り合う隣接領域間の発光輝度の差分値が算出される。実施例１では、ディスプレイ３００のバックライト制御領域３０１と、ディスプレイ２００のバックライト制御領域２０１との発光輝度の差分値の絶対値は６４となる。発光輝度の差分値の閾値を１６とすると、バックライト制御領域３０１は発光輝度の補正対象となる。バックライト制御領域３０２、３０３、３０４は補正対象とならない。
【００６５】
Ｓ４０４において、発光輝度補正部１０４は、ディスプレイ３００のバックライト制御領域３０１の発光輝度（６４）を補正する。ここでは、発光輝度補正部１０４は、横方向において隣接する優先順位の高いディスプレイ２００のバックライト制御領域２０１の発光輝度（１２８）と同じ値になるようにこれを補正し、１２８とする。
【００６６】
以上の処理によって、マルチ画面表示システムを構成するディスプレイ間の境界部におけるバックライト制御領域間の発光輝度の差を小さくできる。（実施例１では、輝度差をなくすことができる。）その結果、マルチ画面表示システムにおいて、ディスプレイ間の境界部における表示輝度の不連続性を抑制し、高い画質でマルチ画像表示を行うことができる。
【００６７】
実施例１では、特徴量検出部１０２が画像データから検出する特徴量として、輝度ヒストグラムを用いたが、これに限らない。例えば、バックライト２０４１の１つの光源が、赤色（Ｒ）ＬＥＤ、緑色（Ｇ）ＬＥＤ、青色（Ｂ）ＬＥＤの３つのＬＥＤを組み合わせて構成され、入力画像データのＲＧＢ値に応じてＲＧＢの各ＬＥＤの各光源の発光輝度（発光輝度）が制御される場合を考える。この場合、特徴量検出部１０２は、入力画像データのＲＧＢ値各々のヒストグラムを検出し、発光輝度決定部１０３はＲＧＢの各ヒストグラムに基づいてＲＧＢの各ＬＥＤの発光輝度を決定しても良い。また、特徴量検出部１０２は、各バックライト制御領域に対応する画像領域の輝度ヒストグラムの代わりに、輝度の最大値と平均値を特徴量として取得するようにしてもよい。
【００６８】
また、実施例１では、ディスプレイに優先順位を設定し、優先順位の低いディスプレイの隣接領域の発光輝度を、優先順位の高いディスプレイの隣接領域の発光輝度に合わせるようにした。しかし、ディスプレイに優先順位を設定せずに、隣接領域間で発光輝度の比較を行い、発光輝度が高い方に合わせるようにしてもよい。或いは、隣接領域間で発光輝度の比較を行い、発光輝度が低い方に合わせるようにしてもよい。
また、実施例１では２つのディスプレイでマルチ画面表示システムを構成したが、より多くのディスプレイを用いてマルチ画面表示システムを構成することも考えられる。その際は、ディスプレイ配置座標に基づいて、並べて配置されている複数ディスプレイの中央部に配置されているディスプレイの優先順位を高くする処理を行っても良い。
【００６９】
（実施例２）
実施例１では、バックライト制御領域の分割数、分割サイズが互いに同じである複数のディスプレイを用いて、マルチ画面表示システムを構成した場合の、ディスプレイ境界における表示輝度の不連続性を抑制する方法について説明した。
【００７０】
実施例２では、バックライト制御領域の分割数、分割サイズが互いに異なる複数のディスプレイを用いてマルチ画面表示システムを構成した場合の、ディスプレイ境界における表示輝度の不連続性を抑制する方法について説明する。具体的には、実施例２では、ディスプレイ境界を挟んで並ぶバックライト制御領域は、全て同じ値の発光輝度で点灯させる処理を行う。実施例２の発光輝度の決定方法に関して、以下で詳細に説明する。
【００７１】
図６は、実施例２の画像出力装置４００と、ディスプレイ５００の概略構成図を示すブロック図である。図６の画像出力装置４００において、ブロック４０１〜４１１は、実施例１の図１のブロック１０１〜１１１と同じ機能を持つ。さらに、ディスプレイ５００において、ブロック５０１〜５０５は、実施例１の図１のブロック２０１〜２０５と同じ機能を持つ。同じ機能については詳細な説明を省略する。
【００７２】
画像出力装置４００が備える隣接発光輝度算出部４１２は、ディスプレイ５００の全ての隣接領域と、ディスプレイ６００の全ての隣接領域とを、同じ発光輝度で点灯させる場
合の発光輝度（共通発光輝度）を算出する。実施例２においては、隣接発光輝度算出部４１２は、共通発光輝度をマルチ画面制御部４０５の指示に応じて算出するものとする。
【００７３】
図７は、実施例２におけるディスプレイ５００、ディスプレイ６００のバックライト制御領域を説明する説明図である。なお、ディスプレイ５００のバックライト制御領域５０１〜５０４は、ディスプレイ５００における、ディスプレイ６００との境界に隣接する隣接領域である。ディスプレイ６００のバックライト制御領域６０１〜６０３は、ディスプレイ６００における、ディスプレイ５００との境界に隣接する隣接領域である。
【００７４】
図８は、画像出力装置４００が、ディスプレイ５００とディスプレイ６００とでマルチ画面表示システムを構築する際に実行する初期設定処理を示したフロー図である。本処理は、画像出力装置４００にディスプレイ５００とディスプレイ６００が接続された際に実行される。
実施例２も、実施例１と同様に、図２（ａ）で示すように、２つのディスプレイを左右に配置しマルチ画面表示システムが実現されているものとする。また、実施例２におけるディスプレイ情報は、実施例１と同様に、図２（ｂ）で示されるデータ構成をとるものとする。
【００７５】
まず、画像出力装置４００にディスプレイ５００とディスプレイ６００が接続されると、画像出力装置４００のマルチ画面制御部４０５は、実施例１の図３のＳ３０１〜Ｓ３０３と同様の処理を行い、マルチ画像表示をするかを判断する（Ｓ８０１）。
実施例２でも、マルチ画面制御部４０５は、ディスプレイ５００とディスプレイ６００のディスプレイ情報のマルチ画面表示システムフラグが「１」であることを確認し、マルチ画像表示を行うこととする。
【００７６】
次に、マルチ画面制御部４０５は、マルチ画像表示を実現するための初期設定を行う。
マルチ画面制御部４０５は、実施例１の図３のＳ３０５〜Ｓ３０７と同様の処理を行い、ディスプレイの配置の確認、隣接領域の設定、平滑補正係数の決定を行う（Ｓ８０２）。
【００７７】
ここで、Ｓ８０２においては、マルチ画面制御部４０５は、実施例１の図３のＳ３０４の処理（優先順位の決定）を行わない理由について説明する。実施例１の発光輝度補正処理（図４）では、初期設定時（Ｓ３０４）に決定したマルチ画面表示システムを構成するディスプレイ間の優先順位に基づき、優先順位の低いディスプレイの隣接領域の発光輝度の補正を行った（Ｓ４０４）。しかし、実施例２の発光輝度補正処理（図９）では、ディスプレイ境界にある全ての隣接領域を、発光輝度の補正対象とするため、ディスプレイの優先順位を決定する処理は不要となる。具体的な処理については後述する。
以上が、実施例２における、マルチ画像表示を実現するための初期設定である。
【００７８】
次に、図９を用いて、画像出力装置４００が、ディスプレイ境界に発生する輝度差を抑制するために実行する処理フローを説明する。なお、本処理は、出力される画像データの１フレーム毎に実行される。
まず、画像出力装置４００の特徴量検出部４０２，発光輝度決定部４０３は、実施例１の図４のＳ４０１〜Ｓ４０２と同様の処理を行い、画像データの特徴量からバックライト制御領域毎の発光輝度を算出する（Ｓ９０１）。
次に、隣接発光輝度算出部４１２は、隣接領域の発光輝度補正にて補正の目標値に用いる共通発光輝度の算出を行う（Ｓ９０２）。
【００７９】
共通発光輝度の算出方法について図１０（ａ）、図１０（ｂ）を用いて詳細に説明する。
まず、隣接発光輝度算出部４１２は、マルチ画面制御部４０５が取得した各ディスプレイのディスプレイ情報のバックライト情報から、バックライト制御領域の分割数、サイズがディスプレイ間で一致しているかを確認する。一致していない場合、隣接発光輝度算出部４１２は、共通発光輝度を算出する処理を実施する。
【００８０】
次に、隣接発光輝度算出部４１２は、マルチ画面制御部４０５から取得した隣接領域情報と、発光輝度決定部４０３から取得した発光輝度値に基づき、隣接領域の発光輝度値毎の点灯面積を求める。実施例２では、隣接発光輝度算出部４１２は、隣接領域の発光輝度を調べ、隣接領域の発光輝度うち、最も広い面積に設定されている発光輝度を共通発光輝度とする。
【００８１】
図１０（ａ）は、入力された画像データに応じて決定された隣接領域毎の発光輝度の一例を示した図である。
ディスプレイ５００のバックライト制御領域５０１、５０２、５０３、５０４の発光輝度は、画像データの統計値（輝度ヒストグラム）に基づき、それぞれ２５６、１２８、６４、３２に決定されている。また、ディスプレイ６００のバックライト制御領域６０１、６０２、６０３の発光輝度は、画像データの統計値（輝度ヒストグラム）に基づき、それぞれ１２８、１２８、６４に決定されている。
【００８２】
ここで、ディスプレイ５００の１つのバックライト制御領域のサイズ（面積）と、ディスプレイ６００の１つのバックライト制御領域のサイズ（面積）と、の比は３：４であるとする。ディスプレイ５００とディスプレイ６００の全隣接領域の面積の合計（バックライト制御領域５０１〜５０４及びバックライト制御領域６０１〜６０３の面積の合計）を２４とする。そうすると、発光輝度値２５６で点灯しているバックライト制御領域の面積は３となる。同様に、発光輝度１２８で点灯しているバックライト制御領域の面積は１１、発光輝度６４で点灯しているバックライト制御領域の面積は７、発光輝度３２で点灯しているバックライト制御領域の面積は３となる。
【００８３】
よって、その発光輝度が設定されたバックライト制御領域の面積の合計が最も広い発光輝度は１２８であるため、隣接発光輝度算出部４１２は、１２８を共通発光輝度とする。
ここで、もし、その発光輝度が設定されたバックライト制御領域の面積の合計が最も広い発光輝度が複数あった場合には、高い方の発光輝度を共通発光輝度とする。
隣接発光輝度算出部４１２は、前記算出した共通発光輝度を発光輝度補正部４０４に出力する。
【００８４】
発光輝度補正部４０４は、図１０（ｂ）に示すように、全ての隣接領域の発光輝度が共通発光輝度になるように各隣接領域の発光輝度を補正する。画像出力装置４００は、実施例１と同様に、補正された発光輝度に基づいて、画像データの画素値の調整、平滑処理を実施し、ディスプレイ毎に分割した画像データ、補正後の発光輝度をそれぞれのディスプレイに出力する（Ｓ９０３）。
以上の処理によって、ローカルディミング制御機能を有し、かつ、互いにバックライト制御領域の分割構成が異なる複数のディスプレイにより構成されたマルチ画面表示システムにおいて、ディスプレイ間の境界部における表示輝度差を低減することができる。
【００８５】
なお、実施例２では、隣接領域の共通発光輝度を算出する際に、各隣接領域の発光輝度のうち、その発光輝度が設定されたバックライト制御領域の面積の合計が最も広い発光輝度を共通発光輝度とした。しかし、各隣接領域の発光輝度のうち最も高い発光輝度を共通発光輝度としてもよい。
さらに、発光輝度毎に、その発光輝度が設定されたバックライト制御領域の面積の合計を算出する際に、発光輝度に比例した重みづけを行って面積の合計を算出するようにして
もよい。これにより、高い発光輝度が優先的に共通発光輝度に設定される。
【００８６】
（実施例３）
実施例１、２では、画像出力装置が発光輝度決定部と発光輝度補正部を備え、画像出力装置が、接続された全てのディスプレイのバックライト発光輝度の決定及び補正を行うことにより、ディスプレイ間の表示輝度の不連続性を抑制する方法について説明した。
実施例３では、発光輝度決定部と発光輝度補正部を備えたディスプレイを用いてマルチ画面表示システムを構成した場合に、ディスプレイ境界における表示輝度の不連続性を抑制する方法について説明する。具体的には、画像出力装置は、接続されたディスプレイから隣接領域の発光輝度を取得し、隣接領域の発光輝度の補正値を算出して各ディスプレイに出力し、各ディスプレイは画像出力装置から取得した補正された発光輝度に基づいてバックライトを点灯する。実施例３の発光輝度補正方法に関して、以下で詳細に説明する。
【００８７】
実施例３では、図１１に示すように、画像出力装置７００と、ディスプレイ８００と、ディスプレイ９００とを用いてマルチ画面表示システムを構築する。実施例３では、実施例１と同様、図２（ａ）で示すように、２つのディスプレイを左右に配置する構成とし、ディスプレイ８００を左に、ディスプレイ９００を右に配置するものとする。また、実施例３におけるディスプレイ情報は、実施例１と同様に、図２（ｂ）で示されるデータ構成をとるものとする。また、ディスプレイの画面サイズ、解像度、バックライト制御領域の分割数、各バックライト制御領域の分割サイズは、ディスプレイ間で一致しているものとする。
【００８８】
図１１は、実施例３の画像出力装置７００、ディスプレイ８００の概略構成を示すブロック図である。ディスプレイ９００は、ディスプレイ８００と同じ構成である。
画像出力装置７００は、画像生成部７０１、画像出力部７０２、マルチ画面制御部７０３、平滑補正係数決定部７０４、隣接発光輝度算出部７０５、通信部７０６を備える。
【００８９】
画像生成部７０１は、マルチ画面表示システムで表示させる画像の画像データを出力する。画像データは複数のフレームで構成される。実施例３においては、画像生成部７０１は、画像出力装置７００内部に備える記憶装置（不図示）から画像データを読み出すものとする。なお、画像生成部７０１は、画像出力装置７００外部より、有線又は無線の通信手段を介して画像データを取得しても良いし、光ディスクや不揮発メモリ装置等の外部記録メディアから画像データを取得しても良い。
【００９０】
画像出力部７０２は、後述するマルチ画面制御部７０３からディスプレイ８００とディスプレイ９００の配置情報を取得し、画像データから、各ディスプレイで表示する領域の画像データを生成し（切り出し）、各ディスプレイに出力する。
【００９１】
マルチ画面制御部７０３は、画像出力装置７００に接続されているディスプレイ８００、ディスプレイ９００から、通信部７０６を介して各ディスプレイが内部に保持するディスプレイ情報を取得する。実施例３におけるディスプレイ情報は、実施例１と同様に、図２（ｂ）で示されるデータ構成をとるものとする。
また、マルチ画面制御部７０３は、取得したディスプレイ情報を解析し、画像出力装置７００に接続された複数のディスプレイを用いてマルチ画像表示を行うかどうかを判断し、マルチ画像表示する際の各ディスプレイの配置を認識する。また、画像出力装置７００に接続されているディスプレイの優先順位を設定し、その情報をマルチ画面制御部７０３内部に保持する。
【００９２】
平滑補正係数決定部７０４は、マルチ画面制御部７０３より、接続されている全てのディスプレイの平滑補正係数情報を取得し、マルチ画面表示システムで共通に使用する平滑
補正係数を決定する。実施例３では、平滑補正係数決定部７０４は、ディスプレイ８００の平滑補正係数情報と、ディスプレイ９００の平滑補正係数情報とを取得する。平滑補正係数決定部７０４は、マルチ画面制御部７０３が設定した優先順位が高い方のディスプレイの平滑補正係数を、マルチ画面表示システムの平滑補正係数とする。平滑補正係数決定部７０４は、決定した平滑補正係数を、通信部７０６を介して各ディスプレイに出力する。
【００９３】
隣接発光輝度算出部７０５は、通信部７０６を介して各ディスプレイから隣接領域情報を取得する。隣接領域情報は、隣接領域と、隣接領域に関して決定された発光輝度（後述の発光輝度決定部８０３で決定される）と、を関連付けた情報であり、ディスプレイ８００、ディスプレイ９００で生成される。隣接発光輝度算出部７０５は、取得した隣接領域情報と、マルチ画面制御部７０３から取得したディスプレイ配置情報に基づき、隣接領域の発光輝度補正（後述の発光輝度補正部８０４が行う）にて補正の目標値として用いられる隣接領域毎の補正発光輝度を算出する。補正発光輝度の詳細な算出方法は後述する。隣接発光輝度算出部７０５は、算出した補正発光輝度を、隣接領域と関連付け、通信部７０６を介して各ディスプレイに出力する。
【００９４】
通信部７０６は、ディスプレイ８００、ディスプレイ９００と通信を行い、各ディスプレイ情報の受信や、発光輝度、制御領域の情報の送受信を行う。具体的には、通信部７０６は、各ディスプレイの通信部と、有線又は無線のデータ通信が可能な手段により接続される。例えば、有線接続の場合、通信部７０６と各ディスプレイの通信部とは、IEEE1394やDisplay Portなどのケーブルによって接続される。
【００９５】
ディスプレイ８００は、画像入力部８０１、特徴量検出部８０２、発光輝度決定部８０３、発光輝度補正部８０４、バックライト部８０５、画像補正部８０６、表示パネル部８０９、ディスプレイ情報管理部８１０を備える。ディスプレイ８００は更に、隣接領域情報生成部８１１、平滑補正係数設定部８１２、通信部８１３を備える。
【００９６】
バックライト部８０５は、１つ以上の光源を含むバックライト８０５１と、バックライト８０５１の光源を制御する制御回路８０５２と、光源から照射される光を拡散させる拡散板などの光学ユニット８０５３とを有する。
【００９７】
画像補正部８０６は、画素値調整部８０７と平滑処理部８０８とを有する。
表示パネル部８０９は、表示パネル８０９１と、表示パネル８０９１を駆動するドライバ８０９２と、入力される画像データに基づいてドライバ８０９２をコントロールするコントロール基板８０９３とを有する。
【００９８】
画像入力部８０１は、画像出力装置７００より画像データを受け取る。
特徴量検出部８０２は、画像入力部８０１に入力された画像データの特徴量を検出する。実施例３では、特徴量検出部８０２は、特徴量として輝度ヒストグラムを検出する。
【００９９】
発光輝度決定部８０３は、特徴量検出部８０２が検出した輝度ヒストグラムを取得し、輝度ヒストグラムに基づいてディスプレイ８００とディスプレイ９００それぞれのバックライトの発光輝度を決定する。発光輝度決定部８０３は、画像データの画素値（輝度）が低い画素で構成される画像領域に対応するバックライト制御領域の発光輝度を低く、画像データの画素値（輝度）が高い画素で構成される画像領域に対応するバックライト制御領域の発光輝度を高く決定する。
【０１００】
発光輝度補正部８０４は、ディスプレイ外部から入力される発光輝度の補正情報に基づいて、発光輝度決定部８０３より取得したバックライト制御領域毎の発光輝度を補正する
。発光輝度補正部８０４は、画像出力装置７００の隣接発光輝度算出部７０５より、通信部８１３を介して、各隣接領域に関連付けられた補正発光輝度を取得し、発光輝度決定部８０３より取得した各隣接領域の発光輝度を、取得した補正発光輝度で上書きする。
【０１０１】
バックライト８０５１は、独立（個別）に発光輝度（発光量）を制御可能な複数のバックライト制御領域から構成される。実施例３では、バックライト８０５１は、横方向（水平方向）にｍ個、縦方向（垂直方向）にｎ個（ｍ、ｎは整数）のｍ×ｎ個のバックライト制御領域を有するものとする。バックライト８０５１の各バックライト制御領域の発光輝度は、発光輝度補正部８０４から取得した発光輝度に応じて、制御回路８０５２によって制御される。
【０１０２】
画像補正部８０６は、画素値調整部８０７と平滑処理部８０８とから構成され、画像入力部８０１から出力された画像データに対して、画素値の補正を行い、補正後の画像データを表示パネル部８０９に出力する。
【０１０３】
画素値調整部８０７は、発光輝度補正部８０４から補正後の発光輝度を取得し、発光輝度に応じて、入力される画像データの画素値を調整する。
平滑処理部８０８は、バックライト制御領域間に発生する急激な表示輝度差を低減する平滑処理を行う。
画素値調整部８０７と平滑処理部８０８の具体的な処理は、実施例１の画素値調整部１０７と平滑処理部１０８の処理内容と同じとする。
表示パネル部８０９は、画像補正部８０６から出力される画像データに基づく画像を表示する。
【０１０４】
ディスプレイ情報管理部８１０は、ディスプレイ８００が備える各種情報を、ディスプレイ情報として管理する。ここで、ディスプレイ情報とは、ディスプレイ８００に設定されているディスプレイ固有の情報であり、図２（ｂ）で示されるデータ構成をとる。さらに、ディスプレイ情報は、画像出力装置７００と接続した際に、通信部８１３を介して画像出力装置７００へ送信される。なお、実施例３において、当該ディスプレイ情報は、予めユーザ等によって各ディスプレイにおいて設定されているものとする。なお、ディスプレイ情報管理部８１０は、ディスプレイ８００がマルチ画面表示システムを構成している場合、マルチ画面表示システム名と、マルチ画面表示システムを構成するディスプレイ配置情報とを、ディスプレイ情報として管理しても良い。
【０１０５】
隣接領域情報生成部８１１は、他のディスプレイとの境界部に隣接するバックライト制御領域である隣接領域と、各隣接領域の発光輝度と、を関連付けた隣接領域情報を生成する。実施例３においては、隣接領域情報生成部８１１はディスプレイ情報管理部８１０からディスプレイ情報を取得する。そして、ディスプレイ８００のバックライト制御領域のうち、マルチ画面表示システムを構成する他のディスプレイ９００との境界部に隣接するバックライト制御領域を隣接領域として特定する。さらに、隣接領域情報生成部８１１は、発光輝度決定部８０３からバックライト制御領域毎の発光輝度を取得し、前記隣接領域の位置情報と、各隣接領域の発光輝度と、を関連付けした隣接領域情報を生成する。この隣接領域情報は、出力される１フレームの画像データ毎に生成される。ディスプレイ９００においても同様に、隣接領域情報が、出力される１フレームの画像データ毎に生成される。
【０１０６】
平滑補正係数設定部８１２は、ディスプレイ外部から通信部８１３を介して入力された平滑補正係数の情報を平滑処理部８０８に設定する。実施例３では、画像出力装置７００が備える平滑補正係数決定部７０４が、マルチ画面表示システムで共通に使用する平滑補正係数が決定する。前記平滑補正係数の情報がディスプレイ８００に入力されると、平滑
補正係数設定部８１２は、当該入力された平滑補正係数を、平滑処理部８０８で用いる平滑補正係数として設定する。
【０１０７】
通信部８１３は、画像出力装置７００が備える通信部７０６と接続し、ディスプレイ情報、隣接領域情報の送信や、制御領域毎の補正発光輝度の情報、マルチ画面表示システム共通で使用する平滑補正係数の情報の受信を行う。
【０１０８】
以下、図１１〜図１３を用いて、マルチ画面表示システムを構築する具体的な処理について説明する。
図１２は、画像出力装置７００が、ディスプレイ８００とディスプレイ９００とでマルチ画面表示システムを構築する際に実行する初期設定処理を示したフロー図である。本処理は、ディスプレイ８００とディスプレイ９００が画像出力装置７００に接続された際に実行される。
【０１０９】
まず、画像出力装置７００にディスプレイ８００とディスプレイ９００が接続されると、画像出力装置７００のマルチ画面制御部７０３は、実施例１の図３のＳ３０１〜Ｓ３０３と同様の処理を行い、マルチ画像表示をするかを判断する（Ｓ１２０１）。
実施例３でも、マルチ画面制御部７０３は、ディスプレイ８００とディスプレイ９００のディスプレイ情報について、マルチ画面表示システムフラグが「１」であることを確認し、マルチ画像表示を行うこととする。
【０１１０】
次に、画像出力装置７００は、マルチ画像表示を実現するための初期設定を行う。
まず、マルチ画面制御部７０３は、マルチ画面表示システムを構成するディスプレイ間に優先順位を決定する（Ｓ１２０２）。なお、実施例３においては、各ディスプレイにユーザ操作によって優先順位が設定されているものとし、ディスプレイ８００よりディスプレイ９００の優先順位が高く設定されているとする。
【０１１１】
次に、マルチ画面制御部７０３は、マルチ画面表示システムの構成情報とディスプレイ配置座標に基づき、ディスプレイ８００とディスプレイ９００の配置関係を認識する（Ｓ１２０３）。
次に、平滑補正係数決定部７０４は、当該マルチ画像処理システムの平滑補正係数を決定する（Ｓ１２０４）。具体的には、平滑補正係数決定部７０４は、マルチ画面制御部７０３が取得した両ディスプレイの平滑補正係数情報を確認し、優先順位が高い方のディスプレイ（ここではディスプレイ９００）の平滑補正係数を当該マルチ画像処理システムの平滑補正係数とする。
【０１１２】
平滑補正係数決定部７０４は、通信部７０６を介して、Ｓ１２０４で決定した平滑補正係数をディスプレイ８００とディスプレイ９００に出力する（Ｓ１２０５）。
ディスプレイ８００に画像出力装置７００から平滑補正係数が入力されると、平滑補正係数設定部８１２は前記平滑補正係数を平滑処理部８０８に設定する（Ｓ１２０６）。ディスプレイ９００においても、同様に平滑補正係数が設定される（Ｓ１２０７）。
【０１１３】
以上の初期設定実施後、画像出力部７０２は、画像生成部７０１より画像データを取得し、Ｓ１２０３で認識したディスプレイ配置に基づいて、各ディスプレイで表示する画像の画像データを生成し、生成した画像データを各ディスプレイに出力する（Ｓ１２０８）。
以上が、実施例３における、マルチ画像表示を実現するための初期設定である。
【０１１４】
次に、図１３を用いて、画像出力装置７００が、ディスプレイ８００とディスプレイ９００の境界に発生する輝度差を抑制するために実行する処理フローを説明する。なお、本
処理は、出力される画像データの１フレーム毎に実行される。
ディスプレイ８００において、画像出力装置７００から画像データが入力されると、特徴量検出部８０２は画像データの特徴量として輝度ヒストグラムを検出する（Ｓ１３０１）。
【０１１５】
次に、発光輝度決定部８０３は、特徴量検出部８０２が検出した輝度ヒストグラムを取得し、当該輝度ヒストグラムに基づいてバックライト８０５１の発光輝度をバックライト制御領域毎に決定する（Ｓ１３０２）。
次に、隣接領域情報生成部８１１はディスプレイ８００の隣接領域情報を生成する（Ｓ１３０３）。実施例３において、前記隣接領域情報は、ディスプレイ８００のバックライト制御領域のうち、ディスプレイ９００との境界に隣接する複数のバックライト制御領域と、当該バックライト制御領域それぞれの発光輝度とを関連づけたものである。
【０１１６】
ディスプレイ９００についても、Ｓ１３０１〜Ｓ１３０３と同様の処理を行う（Ｓ１３０４〜Ｓ１３０６）。
ディスプレイ８００とディスプレイ９００で生成された隣接領域情報は、それぞれの通信部を介して画像出力装置７００へ出力される（Ｓ１３０７）。
次に、画像出力装置７００において、隣接領域の発光輝度の補正値を算出する。
【０１１７】
まず、隣接発光輝度算出部７０５は、ディスプレイ８００、ディスプレイ９００からそれぞれの隣接領域情報を取得する。さらに、マルチ画面制御部７０３からディスプレイ配置情報を取得し、ディスプレイ８００の隣接領域の発光輝度と、当該隣接領域の各々と横方向で隣接するディスプレイ９００の隣接領域の発光輝度と、の差分値を、隣接領域毎に算出する（Ｓ１３０８）。
次に、隣接発光輝度算出部７０５は、Ｓ１３０８で算出した差分値が所定の閾値より大きい場合は、隣接領域の発光輝度の補正に用いる補正発光輝度を算出する（Ｓ１３０９）。
【０１１８】
ここで、図１４を用いて、補正発光輝度の算出方法を詳細に説明する。
ディスプレイ８００のバックライト制御領域８０１、８０２、８０３、８０４の発光輝度は、Ｓ１３０２において、画像データの統計値（輝度ヒストグラム）に基づき、それぞれ６４、１２８、６４、３２に決定されたとする。また、ディスプレイ９００のバックライト制御領域９０１、９０２、９０３、９０４の発光輝度は、Ｓ１３０５において、画像データの統計値（輝度ヒストグラム）に基づき、それぞれ６４、６４、１２８、６４に決定されたとする。
【０１１９】
実施例３では、Ｓ１２０２で決定した優先順位に基づいて、ディスプレイ８００の隣接領域の発光輝度を、優先順位が高いディスプレイ９００の隣接領域の発光輝度と同じ値にするような補正値を算出する。ただし、補正発光輝度の算出対象となるディスプレイ８００の隣接領域は、Ｓ１３０８の処理にて算出される、両ディスプレイの隣り合う隣接領域間の発光輝度の差分値の絶対値が、予め設定された閾値より大きいものに限る。発光輝度の差分の絶対値の閾値を１６とすると、図１４において、ディスプレイ８００のバックライト制御領域８０２、８０３、８０４が補正発光輝度の算出対象の隣接領域となる。図１４の例では、バックライト制御領域８０２、８０３、８０４の補正発光輝度は、ディスプレイ境界をはさんで隣接するディスプレイ９００のバックライト制御領域９０２、９０３、９０４の発光輝度値である、６４、１２８、６４となる。なお、ディスプレイに優先順位を設定せずに、隣接領域間で発光輝度の比較を行い、発光輝度が高い方に合わせるようにしてもよい。或いは、隣接領域間で発光輝度の比較を行い、発光輝度が低い方に合わせるようにしてもよい。
【０１２０】
隣接発光輝度算出部７０５は、算出した補正発光輝度の情報を、対応するバックライト制御領域と関連付けて、ディスプレイ８００に出力する。また、隣接発光輝度算出部７０５は、ディスプレイ９００には、隣接領域の発光輝度の補正をしない情報を出力する（Ｓ１３１０）。
ディスプレイ８００の発光輝度補正部８０４は、画像出力装置７００より補正対象となる隣接領域と、当該隣接領域の補正発光輝度とを取得し、発光輝度決定部８０３で決定した当該隣接領域の発光輝度を前記取得した補正発光輝度で上書きする（Ｓ１３１１）。
【０１２１】
その後、画素値調整部８０７は、発光輝度補正部８０４から取得した補正後の発光輝度に応じて、入力画像データの画素値を調整する（Ｓ１３１２）。さらに、平滑処理部８０８は、平滑処理を行い（Ｓ１３１３）、表示パネル部８０９は平滑処理後の画像データに基づく画像を表示する（Ｓ１３１４）。
【０１２２】
またディスプレイ９００においても、Ｓ１３１２〜Ｓ１３１４と同様の処理を行う（Ｓ１３１５〜Ｓ１３１７）。ただし、この例では、ディスプレイ９００の隣接領域は補正対象ではないので、ディスプレイ９００の発光輝度補正部は、発光輝度決定部が決定したバックライト制御領域毎の発光輝度に対しての補正は行わない。
以上の処理によって、発光輝度の決定と、画像データの画素値補正を実施するディスプレイを用いてマルチ画面表示システムを構成した際に、ディスプレイ間の境界部における発光輝度の差を小さくできる。
【０１２３】
（実施例４）
実施例１〜３では、画像出力装置がマルチ画面制御部を備え、画像出力装置にてディスプレイ境界に隣接するバックライト制御領域（隣接領域）の発光輝度の補正値を算出し、表示輝度の不連続性を抑制する方法について説明した。
【０１２４】
実施例４では、マルチ画面制御部を備えたディスプレイを用いてマルチ画面表示システムを構成する場合に、ディスプレイ境界における表示輝度の不連続性を抑制する方法について説明する。具体的には、実施例４のマルチ画面表示システムの画像出力装置はマルチ画面表示システムを構築するための制御を行わず、各ディスプレイのマルチ画面制御部がディスプレイ境界における隣接領域の発光輝度の補正値を算出する。実施例４の発光輝度の決定方法に関して、以下で詳細に説明する。
【０１２５】
実施例４では、図１５に示されるように、画像出力装置１０００と、ディスプレイ１１００と、ディスプレイ１２００とを用いてマルチ画面表示システムを構築する。実施例１と同様に、図２（ａ）で示すように、２つのディスプレイを左右に配置する構成とし、ディスプレイ１１００を左に、ディスプレイ１２００を右に配置するものとする。また、実施例４におけるディスプレイ情報は、実施例１と同様に、図２（ｂ）で示されるデータ構成をとるものとする。また、ディスプレイの画面サイズ、解像度、バックライト制御領域の分割数、各バックライト制御領域の分割サイズは、ディスプレイ間で一致しているものとする。
【０１２６】
図１５は、本発明に係る画像出力装置１０００、ディスプレイ１１００の概略構成を示すブロック図である。ディスプレイ１２００は、ディスプレイ１１００と同じ構成である。
画像出力装置１０００は、画像生成部１００１、画像出力部１００２を備える。
画像生成部１００１は、マルチ画面表示システムで表示させる画像の画像データを出力する。画像データは複数のフレームで構成される。実施例４においては、画像生成部１００１は、画像出力装置１０００内部に備える記憶装置（不図示）から画像データを読み出すものとする。なお、画像生成部１００１は、画像出力装置１０００外部より、有線又は
無線の通信手段を介して画像データを取得しても良いし、光ディスクや不揮発メモリ等の外部記録メディアから画像データを取得しても良い。
【０１２７】
画像出力部１００２は、画像データから、各ディスプレイで表示する領域の画像データを生成し（切り出し）、各ディスプレイに出力する。
図１５のディスプレイ１１００において、ブロック１１０１〜１１１２は、実施例３のブロック８０１〜８１２と同じ機能を持つ。
ただし、平滑補正係数決定部１１１２に関して、実施例４においては、ディスプレイ外部から平滑補正係数が入力された場合に、入力された平滑補正係数をディスプレイ１１００で用いる平滑補正係数とする。
【０１２８】
通信部１１１３は、ディスプレイ１２００が備える通信部と接続し、ディスプレイ情報、隣接領域情報、バックライト制御領域毎の発光輝度の補正値、マルチ画面表示システムを構成するディスプレイで共通に使用する平滑補正係数、制御情報の送受信を行う。制御情報は、各種指示などに関する情報である。
【０１２９】
マルチ画面制御部１１１４は、マルチ画面表示システムを構成する複数のディスプレイのうち、マスターディスプレイとスレーブディスプレイを決定する。マスターディスプレイは、ディスプレイ間の通信において、各種情報を送受信する順序や指示を決定するディスプレイである。スレーブディスプレイは、マスターディスプレイとともにマルチ画面表示システムを構成し、マスターディスプレイの指示に応じて動作するディスプレイである。実施例４においては、マスターディスプレイはディスプレイ１１００であり、スレーブディスプレイはディスプレイ１２００であるとする。
【０１３０】
マルチ画面制御部１１１４は、ディスプレイ１１００がマスターディスプレイである場合、接続されているスレーブディスプレイ（ここではディスプレイ１２００）の情報を内部に登録し、ディスプレイ１２００からディスプレイ情報を取得する。マルチ画面制御部１１１４は、取得したディスプレイ情報を解析し、マルチ画像表示する際の各ディスプレイの配置や、バックライト制御領域の配置を認識する。
【０１３１】
さらに、マルチ画面制御部１１１４は、ディスプレイ１２００から隣接領域情報を取得し、ディスプレイ１１００の隣接領域情報と共に隣接発光輝度算出部１１１５に出力する。マルチ画面制御部１１１４は、スレーブディスプレイである場合、マスターディスプレイから受信したクロック信号に基づき、自ディスプレイのクロック信号をマスターディスプレイと同期させる処理などを行う。
【０１３２】
また、ディスプレイの外部から、ユーザ操作によってマルチ画面表示システムとして動作するか否かのマルチ画面モードの設定切り替えを可能とする構成としても良い。ここでは、ディスプレイ１１００がマスターディスプレイ、ディスプレイ１２００がスレーブディスプレイである場合を例に説明するが、これに限らない。ディスプレイ１１００がスレーブディスプレイ、ディスプレイ１２００がマスターディスプレイであっても良い。
【０１３３】
隣接発光輝度算出部１１１５は、ディスプレイがマスターディスプレイである場合、マスターディスプレイとスレーブディスプレイの隣接領域情報に基づいて、スレーブディスプレイにおける隣接領域の補正発光輝度を算出する。実施例４では、隣接領域情報は、隣接領域であるバックライト制御領域と、当該隣接領域の発光輝度と、を関連付けた情報とする。マルチ画面制御部１１１４は、ディスプレイ１２００より取得した隣接領域情報を隣接発光輝度算出部１１１５に出力する。
【０１３４】
隣接発光輝度算出部１１１５は、マルチ画面制御部１１１４から入力されたディスプレ
イ１２００の隣接領域情報と、隣接領域情報生成部１１１１から取得したディスプレイ１１００の隣接領域情報と、に基づき、補正発光輝度を算出する。補正発光輝度は、隣接領域の発光輝度補正にて補正の目標値として用いるものである。隣接発光輝度算出部１１１５は、算出した補正発光輝度と、対応する隣接領域と、を関連付け、スレーブディスプレイに出力する。
【０１３５】
ユーザ操作受信部１１１６は、マルチ画面表示システムモードへの設定切り替えを指示するユーザ操作を受信し、当該指示をマルチ画面制御部１１１４へ出力する。ユーザ操作は、例えば、リモコンなどを用いて実行される。
【０１３６】
以下、図１６〜図１７を用いて、マルチ画面表示システムを構築する具体的な処理について説明する。
図１６は、ディスプレイ１１００が、ディスプレイ１２００と連携し、マルチ画面表示システムを構築する際に実行する初期設定処理を示したフロー図である。本処理は、ディスプレイ１１００とディスプレイ１２００とが接続され、ユーザからマルチ画面表示システムモードへの設定切り替えが指示された際に実行される。
【０１３７】
まず、ユーザからマルチ画面表示システムモードへの設定切り替えが指示されると（Ｓ１６０１）、ディスプレイ１１００のマルチ画面制御部１１１４は、自身をマスターディスプレイに設定する（Ｓ１６０２）。
【０１３８】
ここでは、マルチ画面表示システムモードへの設定切り替え指示を受け付けたディスプレイをマスターディスプレイに設定する例を説明したが、これに限らない。各ディスプレイが内部に保持するディスプレイ情報にマスター、スレーブなどの、ディスプレイ間での優先順位を示す情報が予め記載されており、その情報を参照してマスターディスプレイを設定してもよい。また、マルチ画面表示システムモードへの設定切り替え指示とは別個のユーザ指示により、ユーザが個別に各ディスプレイのマスター又はスレーブを設定できるようにしても良い。
【０１３９】
マスターディスプレイとなったディスプレイ１１００のマルチ画面制御部１１１４は、ディスプレイ１１００に接続されているディスプレイに、スレーブディスプレイになることを指示する（Ｓ１６０３）。そして、前記指示に応じて、ディスプレイ１２００のマルチ画面制御部（図示省略）は、自身をスレーブディスプレイに設定する（Ｓ１６０４）。
【０１４０】
次に、ディスプレイ１１００のマルチ画面制御部１１１４は、ディスプレイ１２００のディスプレイ情報を取得する（Ｓ１６０５）。
ディスプレイ１１００のマルチ画面制御部１１１４は、ディスプレイ１２００より取得したディスプレイ情報と、ディスプレイ１１００のディスプレイ情報と、に基づき、システム構成情報とディスプレイ配置座標を取得する。ディスプレイ１１００のマルチ画面制御部１１１４は、取得した情報に基づき、ディスプレイ１１００とディスプレイ１２００の配置関係を認識する（Ｓ１６０６）。
【０１４１】
ディスプレイ１１００のマルチ画面制御部１１１４は、マスターディスプレイであるディスプレイ１１００の平滑補正係数をディスプレイ１２００に出力する（Ｓ１６０７）。ディスプレイ１２００の平滑補正係数決定部（図示省略）は、ディスプレイ外部より入力された平滑補正係数を、ディスプレイ１２００の平滑処理部（図示省略）に設定する（Ｓ１６０８）。
【０１４２】
以上の設定により、ディスプレイ１１００及びディスプレイ１２００は、マルチ画面表示システムとして動作する準備が完了する。この状態で、画像出力装置１０００が各ディ
スプレイに画像データを出力すると、マルチ画面表示システムによる画像表示が行われる。具体的には、画像出力装置１０００の画像出力部１００２は、画像生成部１００１より画像データを取得し、ディスプレイ１１００、１２００へ出力する。
【０１４３】
マスターディスプレイのディスプレイ１１００の画像入力部１１０１は、画像出力装置１０００から入力される画像データから、Ｓ１６０３で認識したディスプレイ配置に基づいて、ディスプレイ１１００で表示する領域の画像データを生成する（切り出す）。
【０１４４】
スレーブディスプレイのディスプレイ１２００は、マスターディスプレイのディスプレイ１１００から通信部（不図示０を介してディスプレイ配置情報を取得する。ディスプレイ１２００の画像入力部（不図示）は、当該ディスプレイ配置情報に基づき、画像出力装置１０００から入力される画像データから、ディスプレイ１２００で表示する領域の画像データを生成する（切り出す）。
【０１４５】
なお、画像出力装置１０００に実施例１〜３と同様にディスプレイ１１００，１２００と通信する通信部を備え、画像出力装置１０００がマスターディスプレイ（ディスプレイ１１００）からディスプレイ配置情報を取得するようにしても良い。この場合、実施例１〜３と同様、画像出力装置１０００の画像出力部１００２が、取得したディスプレイ配置情報に基づき、画像生成部１００１から入力される画像データを各ディスプレイでの表示範囲の画像に分割する。そして、分割して得られた画像データを画像出力部１００２が各ディスプレイに出力するようにしても良い。
【０１４６】
スレーブディスプレイであるディスプレイ１２００は、マスターディスプレイであるディスプレイ１１００からクロック信号を受信し、ディスプレイ間の同期処理を行う（Ｓ１６０９）。
以上が、実施例４におけるマルチ画面表示システムを構築する際の初期設定処理である。
【０１４７】
次に、図１７を用いて、ディスプレイ１１００とディスプレイ１２００の境界に発生する輝度差を抑制するための処理フローを説明する。この処理では、ディスプレイ１１００がディスプレイ１２００に対して、ディスプレイ１１００のバックライト１１０５１の発光輝度に関する情報を送信し、発光輝度補正を行うことで、ディスプレイ間の境界における輝度差を抑制する。なお、本処理は、出力される画像データの１フレーム毎に実行される。
ディスプレイ１１００において、画像出力装置１０００から画像データが入力されると、特徴量検出部１１０２はディスプレイ１１００におけるバックライト制御領域毎（分割領域毎）に、画像データの特徴量である輝度ヒストグラムを検出する（Ｓ１７０１）。
【０１４８】
次に、発光輝度決定部１１０３は、特徴量検出部１１０２が検出した輝度ヒストグラムを取得し、当該輝度ヒストグラムに基づいてディスプレイ１１００におけるバックライト１１０５１の発光輝度をバックライト制御領域毎に決定する（Ｓ１７０２）。
ディスプレイ１２００においても、Ｓ１７０１〜Ｓ１７０２と同様の処理を行う。すなわち、ディスプレイ１２００の特徴量検出部が、ディスプレイ１２００におけるバックライト制御領域毎に画像データの特徴量である輝度ヒストグラムを検出する（Ｓ１７０３）。そして、ディスプレイ１２００の発光輝度決定部は、特徴量検出部が検出した輝度ヒストグラムを取得し、当該輝度ヒストグラムに基づいて、ディスプレイ１２００におけるバックライト制御領域毎の、バックライトの発光輝度を決定する（Ｓ１７０４）。こうして、Ｓ１７０３〜Ｓ１７０４において、入力される画像データに応じた、ディスプレイ１２００のバックライト制御領域毎の発光輝度が算出される。
【０１４９】
次に、マルチ画面制御部１１１４は、通信部１１１３を介して、ディスプレイ１２００に、ディスプレイ１２００における、ディスプレイ１１００との境界に隣接するバックライト制御領域（隣接領域）の位置を示す情報を出力する。さらに、ディスプレイ１２００における隣接領域情報を生成するよう指示する（Ｓ１７０５）。ディスプレイ１２００の隣接領域情報は、ディスプレイ１１００と隣接するディスプレイ１２００のバックライト制御領域（ディスプレイ１２００の隣接領域）の位置情報と、当該バックライト制御領域毎に設定される発光輝度の値とが関連付けられた情報である。
【０１５０】
実施例４では、後の発光輝度補正処理にて、スレーブディスプレイの隣接領域と、当該隣接領域それぞれに関連付けられた発光輝度と、の情報を、マスターディスプレイに集約する必要がある。ここで、ディスプレイの配置情報を認識しているのはマスターディスプレイであるディスプレイ１１００である。つまり、ディスプレイ１２００のバックライト制御領域のうち、どれがディスプレイ１１００と隣接するバックライト制御領域（隣接領域）であるかの情報は、ディスプレイ１２００自身は有していない。よって、ディスプレイ１１００は、ディスプレイ１２００からディスプレイ１２００の隣接領域の発光輝度の情報を取得するために、ディスプレイ１２００にディスプレイ１２００の隣接領域の位置を示す情報を与え、当該隣接領域の発光輝度情報を要求する。
【０１５１】
隣接領域情報及び発光輝度情報要求を受けたディスプレイ１２００の隣接領域情報生成部（図示省略）は、隣接領域として指定されたバックライト制御領域と、当該バックライト制御領域それぞれの発光輝度と、を関連付けた隣接領域情報を生成する（Ｓ１７０６）。ディスプレイ１２００において生成された隣接領域情報は、ディスプレイ１２００の通信部を介して、ディスプレイ１１００に送信される（Ｓ１７０８）。
【０１５２】
マルチ画面制御部１１１４は、ディスプレイ１２００に隣接領域情報を要求するとともに、ディスプレイ１１００の隣接領域情報生成部１１１１にも隣接領域情報の生成を指示する。ディスプレイ１１００の隣接領域情報生成部１１１１は、ディスプレイ情報管理部１１１０から、マルチ画面表示システムの構成における、ディスプレイ１２００に関するディスプレイ情報を取得する。さらに、隣接領域情報生成部１１１１は、当該ディスプレイ情報に基づいて、ディスプレイ１１００における隣接領域情報を生成する（Ｓ１７０７）。ディスプレイ１１００の隣接領域情報は、ディスプレイ１２００と隣接するディスプレイ１１００のバックライト制御領域（ディスプレイ１１００の隣接領域）の位置情報と、当該バックライト制御領域毎に設定される発光輝度の値とが関連付けられた情報である。
ディスプレイ１１００のマルチ画面制御部１１１４は、ディスプレイ１２００より隣接領域情報を取得し（Ｓ１７０８）、隣接発光輝度算出部１１１５へ出力する。
【０１５３】
隣接発光輝度算出部１１１５は、ディスプレイ１１００の隣接領域情報とディスプレイ１２００の隣接領域情報に基づいて、ディスプレイ１１００とディスプレイ１２００における発光輝度補正をするべきバックライト制御領域（発光輝度補正対象領域）を特定する。なお、実施例４では、ディスプレイ１２００のみの発光輝度補正を行う構成について、説明する。
【０１５４】
隣接発光輝度算出部１１１５は、隣接領域情報生成部１１１１より、ディスプレイ１１００の隣接領域情報を取得する。さらに、隣接発光輝度算出部１１１５は、マルチ画面制御部１１１４からディスプレイ配置情報を取得する。隣接発光輝度算出部１１１５は、ディスプレイ１１００の隣接領域の発光輝度と、当該各隣接領域に対し横方向に隣接するディスプレイ１２００の隣接領域の発光輝度と、の差分値を、隣接領域毎に算出する（Ｓ１７０９）。そして、当該差分値の絶対値を所定の閾値と比較し、当該差分値の絶対値が所定の閾値より大きい領域を、発光輝度補正対象領域と判断する。ここで、ディスプレイ１
２００の各隣接領域の発光輝度は、ディスプレイ１２００の発光輝度決定部によって特徴量に基づいて決定されたものである。また、ディスプレイ１１００の各隣接領域の発光輝度は、発光輝度決定部１１０３によって特徴量に基づいて決定されたものである。
【０１５５】
次に、隣接発光輝度算出部１１１５は、Ｓ１７０９で算出した差分値の絶対値が所定の閾値より大きい場合は、隣接領域の発光輝度を補正するための補正発光輝度を算出する（Ｓ１７１０）。具体的な補正発光輝度の算出方法は、実施例３と同様とする。実施例４では、補正発光輝度は、スレーブディスプレイ１２００の発光輝度補正対象の隣接領域の発光輝度が、当該領域と横方向において隣接するマスターディスプレイ１１００の隣接領域の発光輝度と同じ値になるように、算出される。すなわち補正発光輝度はディスプレイ１２００の発光輝度を変更する補正を行うための目標値として算出される。
【０１５６】
なお、実施例４では、ディスプレイ１２００の各隣接領域の補正発光輝度は、当該各領域と横方向において隣接するディスプレイ１１００の隣接領域の発光輝度と同じ値になるように設定されるが、これに限らない。ディスプレイ１１００の各隣接領域の発光輝度と、当該各領域と横方向において隣接するディスプレイ１２００の隣接領域の発光輝度とが近づくように、補正発光輝度が設定されてもよい。発光輝度補正の対象となるバックライト制御領域の発光輝度が、横方向において隣接するディスプレイの隣接領域の発光輝度に近づくことで、ディスプレイ間の画像の不連続性が緩和されるのであれば、どのような値であってもよい。
【０１５７】
マルチ画面制御部１１１４は、隣接発光輝度算出部１１１５で算出した補正発光輝度を、通信部１１１３を介して、対応する隣接領域の情報とともに、ディスプレイ１２００に出力する（Ｓ１７１１）。ディスプレイ１２００に対する補正発光輝度は、通信部１１１３を介して、ディスプレイ１２００のマルチ画面制御部に送られ、ディスプレイ１２００の隣接発光輝度算出部を経由して、ディスプレイ１２００の隣接発光輝度算出部に送られる。また、ディスプレイ１１００の発光輝度補正部１１０４には、補正なしの情報を出力する。
【０１５８】
ディスプレイ１２００の発光輝度補正部（図示省略）は、ディスプレイ１２００の隣接発光輝度算出部に送信された補正発光輝度を用いて、発光輝度補正対象領域として特定されたバックライト制御領域に対して、発光輝度の補正を行う。すなわち、ディスプレイ１１００より取得した補正対象となる隣接領域と当該隣接領域の補正発光輝度とに基づき、発光輝度決定部（図示省略）で決定した隣接領域の発光輝度を補正発光輝度で上書きする（Ｓ１７１２）。
【０１５９】
ディスプレイ１１００では、画素値調整部１１０７が、発光輝度補正部１１０４から取得した補正後の各バックライト制御領域の発光輝度に応じて、入力画像データの画素値を調整する（Ｓ１７１３）。なお、ここではディスプレイ１１００はマスターディスプレイであり、実際にはバックライト制御領域の発光輝度の補正は行われていない。平滑処理部１１０８が平滑処理を行い（Ｓ１７１４）、表示パネル部１１０９には、Ｓ１７０２で算出されたバックライト１１０５１の発光輝度に基づき画素値調整部１１０７により補正された画像データに基づく画像を表示する（Ｓ１７１５）。
【０１６０】
またディスプレイ１２００においても、Ｓ１７１３〜Ｓ１７１５と同様の処理を行う（Ｓ１７１６〜Ｓ１７１８）。すなわち、Ｓ１７１２で発光輝度補正が完了した後、補正された発光輝度に基づいて、バックライトの発光が制御され、補正発光輝度に基づき画像補正部により補正された画像データに基づく画像がディスプレイ１２００の表示パネル部に表示される。
【０１６１】
ここで、図５（ａ）、図５（ｂ）を用いて実施例４における各バックライト制御領域に対する発光輝度補正を具体的に説明する。なお、図５（ａ）、図５（ｂ）において、ディスプレイ２００はディスプレイ１１００で読み替え、ディスプレイ３００はディスプレイ１２００で読み替える。
【０１６２】
ここで、発光輝度補正を実行するか否かの判断の際に用いられる、隣接する領域間の差分値の絶対値の閾値を１６とする。Ｓ１７０９の処理では、まず、ディスプレイ１１００の隣接発光輝度算出部１２０２が、ディスプレイ１２００において、発光輝度補正条件を満たす領域があるか否かを判定する。実施例４では、ディスプレイ１２００のバックライト制御領域３０１においては、ディスプレイ１１００のバックライト制御領域２０１との発光輝度の差分値の絶対値は６４であり、閾値１６より大きい。そのため、ディスプレイ１２００のバックライト制御領域３０１のみが発光輝度補正条件を満たす。よって、実施例４では、ディスプレイ１２００のバックライト制御領域３０１が、発光輝度補正対象領域となる。
【０１６３】
隣接発光輝度算出部１１１５は、隣接領域情報生成部１１１１から、ディスプレイ１１００の隣接領域情報を受信し、さらに、ディスプレイ１２００の隣接領域情報生成部から、通信部１１１３を介して、ディスプレイ１２００の隣接領域情報を受信する。そして、隣接発光輝度算出部１１１５は、特定した発光輝度補正対象領域の情報と、各ディスプレイの隣接領域情報と、に基づいて、発光輝度補正対象領域の補正発光輝度を決定する。具体的には、隣接発光輝度算出部１１１５は、ディスプレイ１２００のバックライト制御領域３０１が横方向において隣接するバックライト制御領域２０１の発光輝度（１２８）を、ディスプレイ１２００のバックライト制御領域３０１の補正発光輝度として決定する。
【０１６４】
隣接発光輝度算出部１１１５は、決定した補正発光輝度を、通信部１１１３を介してディスプレイ１２００の隣接発光輝度算出部に出力し、ディスプレイ１２００の発光輝度補正部は、当該補正発光輝度に基づいて、バックライト制御領域の発光輝度を補正する。具体的には、ディスプレイ１２００の発光輝度決定部によって算出された発光輝度値（６４）を、補正発光輝度（１２８）で上書きする。ディスプレイ１２００の画像補正部は、発光輝度補正部から送信される当該補正発光輝度に基づき画像データに対し補正を行う。
【０１６５】
以上の処理によって、マルチ画面制御部を有する複数のディスプレイを用いてマルチ画面表示システムを構築した際に、ディスプレイ間の境界部における発光輝度を互いに近付けることができ、輝度差を小さくできる。（実施例４では、輝度差をなくすことができる。）その結果、マルチ画面表示システムにおいて、ディスプレイ間の境界部における輝度の不連続性を抑制し、高い画質でマルチ画像表示を行うことができる。
【０１６６】
（マルチ画面表示システムのその他の例）
実施例４では、マルチ画面制御部を備えたディスプレイを用いて構成するマルチ画面表示システムに本発明を適用した実施例を説明したが、本発明を適用できるマルチ画面表示システムは上述の構成に限られない。
図１８、図１９を用いて本発明を適用可能なマルチ画面表示システムをローカルディミング制御機能を備えたディスプレイを用いて構築する具体的な処理のその他の例について説明する。
【０１６７】
図１８は、ディスプレイ１１００がディスプレイ１２００と連携し、マルチ画面表示システムを構成する処理フローを示したフロー図である。ユーザが、ユーザ操作受信部１１１６を介して、ディスプレイ１１００のモード設定を、ディスプレイ１１００とディスプレイ１２００とから構成されるマルチ画面表示システムモードへと切り替える指示を行う（Ｓ１８０１）。そうすると、マルチ画面制御部１１１４は、ディスプレイ情報管理部１
１１０よりマルチ画面表示システム名を取得する。
【０１６８】
マルチ画面制御部１１１４は、取得したマルチ画面表示システム名を確認すると（Ｓ１８０２）、通信部１１１３を介して、ネットワークに接続されているディスプレイの中から、同じマルチ画面表示システム名を持つディスプレイを検索する。そして、マルチ画面制御部１１１４は、検索の結果、同じマルチ画面表示システム名を持つディスプレイ（ここでは、ディスプレイ１２００）を発見した場合には、当該ディスプレイがマスターディスプレイであるか否かを確認する（Ｓ１８０３）。一方、同じマルチ画面表示システム名が設定されたディスプレイが存在しない、又は、存在するもののマスターディスプレイではない場合、マルチ画面制御部１１１４は、ディスプレイ１１００をマスターディスプレイに設定する（Ｓ１８０４）。
【０１６９】
一方、ディスプレイ１２００がマスターディスプレイである場合は、ディスプレイ１２００に対してディスプレイ１１００自身のディスプレイ情報を送信し、スレーブディスプレイとしての登録依頼を行う（Ｓ１８０５）。ディスプレイ１２００が当該登録を完了すると（Ｓ１８０６）、ディスプレイ１１００は自身をスレーブディスプレイに設定する（Ｓ１８０７）。スレーブディスプレイであるディスプレイ１１００は、マスターディスプレイであるディスプレイ１２００からクロック信号を受信し、ディスプレイ間の同期処理を行う（Ｓ１８０８）。
【０１７０】
なお、ここでは、一方のディスプレイが、他方のディスプレイがマスターディスプレイであるか否かに関する情報に基づいて、自身をマスターディスプレイに設定するかスレーブディスプレイに設定するかの処理を行う例を説明したが、これに限らない。自身がマスターディスプレイであるか、スレーブディスプレイであるかの設定を、各ディスプレイにおいて予め行っていてもよい。また、ここでは、ユーザがマルチ画面表示システムモードへのモード設定切替操作時に、マスターディスプレイとスレーブディスプレイの設定を行ったが、これに限らない。ディスプレイが起動した時に、予め保存されているモード設定情報に基づいて、各ディスプレイにおけるマスターディスプレイとスレーブディスプレイの設定を行ってもよい。
【０１７１】
図１９は、マルチ画面表示システムを構成するディスプレイ間において、ディスプレイ情報を送受信する処理フローを示したフロー図である。マスターディスプレイであるディスプレイ１１００のマルチ画面制御部１１１４は、スレーブディスプレイであるディスプレイ１２００に対して、ディスプレイ１２００のディスプレイ情報を要求する（Ｓ１９０１）。ディスプレイ１２００のマルチ画面制御部は、ディスプレイ１２００のディスプレイ情報管理部１１１０よりディスプレイ１２００のディスプレイ情報を取得し、通信部を介してディスプレイ１１００へ送信する（Ｓ１９０２）。
【０１７２】
ディスプレイ１１００のマルチ画面制御部１１１４は、受信したディスプレイ１２００のディスプレイ情報を解析する（Ｓ１９０３）。具体的には、マルチ画面制御部１１１４は、ディスプレイ１２００のディスプレイ情報に含まれる各種情報をディスプレイ間で比較する。各種情報は、例えば、画面サイズ、黒レベル値、ローカルディミング制御機能搭載の有無、バックライト制御領域の分割数、各バックライト制御領域のサイズ、各バックライト制御領域の配置構成である。ディスプレイ１１００は、ディスプレイ１２００がローカルディミング機能を備えていない場合は、バックライト部１１０５は、ローカルディミング機能を無効に設定する。言い換えれば、バックライト部１１０５の制御回路１１０５２は、バックライトの全ての光源の発光輝度が略一律になるよう、バックライト１１０５１の各光源の発光輝度を制御する（Ｓ１９０４）。
【０１７３】
ディスプレイ１２００がローカルディミング制御機能を備えている場合には、マルチ画
面制御部１１１４は、ディスプレイ情報管理部１１１０より、後述する処理で算出される平滑補正係数情報を取得し、当該平滑補正係数情報をディスプレイ１２００に送信する。そして、マルチ画面制御部１１１４は、平滑補正係数を、平滑処理に用いる補正係数として決定するよう指示する（Ｓ１９０５）。ディスプレイ１２００のマルチ画面制御部は、受信した平滑補正係数情報をディスプレイ１２００の平滑補正係数設定部に送信する。ディスプレイ１２００の当該平滑補正係数設定部は、ディスプレイ１２００の平滑処理部に受信した平滑補正係数を出力する（Ｓ１９０６）。言い換えれば、Ｓ１９０６において、ディスプレイ１２００の平滑補正係数が決定される。
【０１７４】
なお、ここでは、ディスプレイ１１００がディスプレイ１２００に対して平滑補正係数情報を送信し、ディスプレイ１２００が当該平滑補正係数情報に基づいて、平滑補正係数を決定する構成を説明したが、これに限らない。例えば、ディスプレイ１２００が、ディスプレイ１１００のディスプレイ情報を受信し、当該ディスプレイ情報に基づいて、ディスプレイ１２００自身でディスプレイ１２００の平滑補正係数を算出してもよい。
【０１７５】
また、Ｓ１９０３の解析において、ディスプレイ１１００とディスプレイ１２００とが、ともにローカルディミング制御機能を備えていると判定されたが、ディスプレイ間において、ディスプレイ仕様が一致しない場合がある。例えば、ディスプレイ間で黒レベル値、画面サイズ、バックライト制御領域の分割数、各バックライト制御領域のサイズ、各バックライト制御領域の配置構成などが一致しない場合がある。このような場合には、両ディスプレイのローカルディミング制御機能を無効にするバックライト制御を実行してもよい。
【０１７６】
なお、マルチ画面表示システムにおけるマスターディスプレイの設定方法をユーザが操作したディスプレイとしたが、予め各ディスプレイに設定されていてもよい。また、スレーブディスプレイの発光輝度補正で用いる補正発光輝度を、マスターディスプレイ（実施例４では、ディスプレイ１１００）が算出する処理を例に説明したが、これに限らない。例えば、スレーブディスプレイがマスターディスプレイに適用する補正発光輝度を算出し、マスターディスプレイに対し発光輝度補正を行うように制御してもよい。また、実施例４では、発光輝度補正対象領域の発光輝度を高くするように補正を行ったが、これに限らない。例えば、発光輝度の高い領域の発光輝度を、低い領域の発光輝度に近づけるように発光輝度補正を行ってもよい。
【０１７７】
（実施例５）
実施例４では、マルチ画面表示システムを構成するディスプレイ間において、互いにバックライト制御領域の分割構成（分割数、分割領域の大きさ、分割領域の配置構成）が同一である場合について説明した。実施例５では、図２０乃至図２３を用いて、ローカルディミング制御機能を持ち、かつ、バックライト制御領域の分割構成（分割数、分割領域の大きさ、配置構成）が互いに異なるディスプレイを用いて、マルチ画面表示システムを構成する方法について説明する。なお、ディスプレイ１１００とディスプレイ１２００とは、バックライト制御領域の分割構成が異なるだけで、その他の構成は同じである。
【０１７８】
図２０は、実施例５における、後述のサブ制御領域を説明する説明図である。なお、ディスプレイ１１００のバックライト制御領域５１５乃至５１８のそれぞれは、ディスプレイ１１００における、ディスプレイ１２００と隣接する隣接領域である。ディスプレイ１２００のバックライト制御領域６０１乃至６０３のぞれぞれは、ディスプレイ１２００における、ディスプレイ１１００と隣接する隣接領域である。
【０１７９】
実施例５では、隣接発光輝度算出部１１１５は、ディスプレイ間の境界部に隣接するバックライト制御領域を、更に細かいバックライト制御領域（サブ制御領域という）に分割
する。実施例５では、各バックライト制御領域は、複数の最小制御単位の集合により構成されるものとする。このように構成されたバックライト制御領域は、更に細かいバックライト制御領域によって分割することができる。サブ制御領域の各々は、１又は複数の最小制御単位により構成されるものとする。
【０１８０】
ここで、図２０のディスプレイ１２００を用いて、サブ制御領域について説明する。図２０のディスプレイ１２００において示されるように、サブ制御領域６０４乃至６０９のそれぞれは、バックライト１１０５１のバックライト制御領域６０１乃至６０３を、さらに細かいバックライト制御領域に分割したものである。そして、サブ制御領域間の境界のうち一部の境界は、ディスプレイ１１００の、ディスプレイ１２００との隣接領域におけるバックライト制御領域間の境界と一致するように設定される。
【０１８１】
具体的には、図２０に示すように、バックライト制御領域５１５とバックライト制御領域５１６との境界と、サブ制御領域６０４とサブ制御領域６０５との境界が横方向において一致している。このような構成になるように、ディスプレイ１２００の隣接発光輝度算出部は、バックライト制御領域６０１を、サブ制御領域６０４とサブ制御領域６０５とに分割する。
【０１８２】
また、図２０に示すように、バックライト制御領域５１６とバックライト制御領域５１７との境界と、サブ制御領域６０６とサブ制御領域６０７との境界が横方向において一致している。このような構成になるように、ディスプレイ１２００の隣接発光輝度算出部は、バックライト制御領域６０２を、サブ制御領域６０６とサブ制御領域６０７とに分割する。
【０１８３】
また、図２０に示すように、バックライト制御領域５１７とバックライト制御領域５１８との境界と、サブ制御領域６０８とサブ制御領域６０９との境界が横方向において一致している。このような構成になるように、ディスプレイ１２００の隣接発光輝度算出部は、バックライト制御領域６０３を、サブ制御領域６０８とサブ制御領域６０９とに分割する。
【０１８４】
隣接発光輝度算出部１１１５は、さらに、サブ制御領域毎に目標とする発光輝度値（補正発光輝度）を決定する。補正発光輝度は、発光輝度補正処理における、サブ制御領域に設定する発光輝度の目標値である。そして、隣接発光輝度算出部１１１５は、各サブ制御領域における、サブ制御領域に関する情報であるサブ制御領域情報（位置とサイズ）とともに、決定した補正発光輝度を発光輝度補正部１１０４に出力する。
【０１８５】
発光輝度補正部１１０４は、発光輝度決定部１１０３から入力される発光輝度の値を、隣接発光輝度算出部１１１５から入力される補正発光輝度の値により上書きする。
【０１８６】
図２１は、実施例５におけるマルチ画面表示システムが、サブ制御領域を設定する処理を示した図である。なお、マルチ画面表示システムにおけるマスターディスプレイ、スレーブディスプレイは、実施例４の図１８と同様の処理によって決定されているものとし、説明は省略する。実施例５では、ディスプレイ１１００がマスターディスプレイ、ディスプレイ１２００がスレーブディスプレイとして説明する。
【０１８７】
まずディスプレイ１１００のマルチ画面制御部１１１４は、ディスプレイ１２００のディスプレイ情報を要求し（Ｓ２２０１）、要求を受けたディスプレイ１２００は、ディスプレイ情報をディスプレイ１１００に対して送信する（Ｓ２２０２）。ディスプレイ１１００のマルチ画面制御部１１１４は、ディスプレイ１１００とディスプレイ１２００のディスプレイ情報から、バックライト制御領域の境界がディスプレイ間で一致するかを判定
する（Ｓ２２０３）。ディスプレイ情報には、画面サイズ、バックライト制御領域の分割数、各バックライト制御領域のサイズ、各バックライト制御領域の配置構成が含まれる。
【０１８８】
バックライト制御領域の境界が互いに一致しない場合（Ｓ２２０４）、ディスプレイ１１００は、ディスプレイ１１００のディスプレイ情報をディスプレイ１２００に送信し（Ｓ２２０５）、サブ制御領域の設定指示を行う（Ｓ２２０６）。なお、バックライト制御領域の境界が互いに一致する場合については、図示をしていないが、上述の実施例４の発光輝度補正が行われるものとする。
【０１８９】
ディスプレイ１２００のマルチ画面制御部は、ディスプレイ１１００から受信したディスプレイ１１００に関するディスプレイ情報を、ディスプレイ１２００の隣接発光輝度算出部に出力する。ディスプレイ１２００の隣接発光輝度算出部は、入力されたディスプレイ１１００に関するディスプレイ情報に基づいて、図２０に示されるサブ制御領域６０４乃至６０９を設定する（Ｓ２２０７）。ここで用いられるディスプレイ情報は、ディスプレイ１１００のバックライト制御領域の分割数、各バックライト制御領域のサイズ、各バックライト制御領域の配置構成である。
【０１９０】
図２２は、ディスプレイ１１００がディスプレイ１２００に対して、ディスプレイ１１００の発光輝度に関する情報を送信し、発光輝度補正を行うことで、ディスプレイ間の境界における輝度差を抑制する処理フローを示した図である。なお、本処理は、出力される１フレーム毎の画像データに対して実行される。また、図２３は、隣接発光輝度算出部１１１５が決定するサブ制御領域毎の補正発光輝度を示した図である。図２２と図２３を用いて、実施例５の発光輝度補正について説明する。
【０１９１】
サブ制御領域６０４乃至６０９が設定されると、まず、図１７のＳ１７０１乃至Ｓ１７０４と同様の処理が行われる（Ｓ２３０１）。そして、ディスプレイ１１００の隣接領域情報生成部１１１１は、ディスプレイ情報管理部１１１０から、マルチ画面表示システムの構成における、ディスプレイ１２００に関するディスプレイ情報を取得する。さらに、隣接領域情報生成部１１１１は、当該ディスプレイ情報に基づいて、隣接領域情報を生成する（Ｓ２３０２）。隣接領域情報は、ディスプレイ１２００に隣接するディスプレイ１１００のバックライト制御領域（ディスプレイ１１００の隣接領域）の位置情報と、当該バックライト制御領域毎に設定される発光輝度の値と、が関連付けられた情報である
【０１９２】
ディスプレイ１１００のマルチ画面制御部１１１４は、通信部１１１３を介して、Ｓ２３０２で生成されたディスプレイ１１００の隣接領域情報をディスプレイ１２００へ送信する（Ｓ２３０３）。そして、ディスプレイ１２００の隣接サブ領域情報を生成するよう指示する（Ｓ２３０４）。ディスプレイ１２００の隣接サブ領域情報は、ディスプレイ１１００と隣接するディスプレイ１２００のサブ制御領域の位置情報と、当該サブ制御領域毎に設定される発光輝度の値とが関連付けられた情報である。そして、ディスプレイ１２００の隣接領域情報生成部は、ディスプレイ１１００からの指示に従い、ディスプレイ１２００における隣接サブ領域情報を生成する（Ｓ２３０５）。
【０１９３】
ディスプレイ１２００の隣接発光輝度算出部は、サブ制御領域のうち、発光輝度補正条件を満たす領域である発光輝度補正対象領域を特定する。実施例５では、隣接発光輝度算出部は、次のようにして発光輝度補正対象領域を特定する。すなわち、隣接発光輝度算出部は、ディスプレイ１２００の各サブ制御領域の発光輝度と、当該各サブ制御領域と横方向において隣接するディスプレイ１１００のバックライト制御領域（隣接領域）の発光輝度と、の差分値を、領域毎に求める。ここで、ディスプレイ１２００の各サブ制御領域の発光輝度は、ディスプレイ１２００の発光輝度決定部によって特徴量に基づいて決定されたものである。また、ディスプレイ１１００のバックライト制御領域（隣接領域）の発光
輝度は、発光輝度決定部１１０３によって特徴量に基づいて決定されたものである。
【０１９４】
隣接発光輝度算出部は、当該差分値の絶対値と所定の閾値とを比較し、当該差分値の絶対値が所定の閾値より大きい領域を、発光輝度補正対称領域と判断する。
ディスプレイ１２００の隣接発光輝度算出部は、サブ制御領域毎の補正発光輝度を決定する（Ｓ２３０６）。ここで、サブ制御領域毎の補正発光輝度は、発光輝度補正対象領域情報と、ディスプレイ１２００の隣接サブ領域情報と、ディスプレイ１１００から受信したディスプレイ１１００の隣接領域情報とに基づいて、決定される。具体的には、発光輝度補正対象領域（サブ制御領域）の補正発光輝度は、発光輝度補正対象領域の発光輝度の値と、発光輝度補正対象領域に横方向において隣接するディスプレイ１１００の隣接領域の発光輝度の値と、の差分が小さくなるように決定される。
【０１９５】
ここで、実施例５における発光輝度補正処理について、図２３を用いて、さらに具体的に説明する。図２３に示されるように、ディスプレイ１１００のバックライト制御領域５１５乃至５１８のそれぞれについて、発光輝度決定部１１０３によって特徴量に基づいて決定された発光輝度の値が、１２８、６４、１２８、６４であったとする。また、ディスプレイ１２００のバックライト制御領域６０１乃至６０３のそれぞれについて、ディスプレイ１２００の発光輝度決定部によって特徴量に基づいて決定された発光輝度の値が、６４、１２８、６４であったとする。
【０１９６】
この場合、バックライト制御領域６０１乃至６０３をさらに小さく分割したサブ制御領域６０４乃至６０９のそれぞれにおいて、当該各サブ制御領域の発光輝度は、６４、６４、１２８、１２８、６４、６４に設定されていることになる。
ディスプレイ１２００の隣接発光輝度算出部は、各サブ制御領域の当該発光輝度と、各サブ制御領域と横方向において隣接するディスプレイ１１００のバックライト制御領域（隣接領域）の発光輝度と、の差分値の絶対値を算出する。そして、当該差分値の絶対値が所定の閾値より大きいか否かに基づいて、発光輝度補正対象領域を特定する。以下で、発光輝度補正対称領域の特定処理について、具体的に説明する。
【０１９７】
まず隣接発光輝度算出部は、先述の差分値の絶対値を求める。サブ制御領域６０４の発光輝度６４とバックライト制御領域５１５の発光輝度１２８との差分値の絶対値は、６４である。サブ制御領域６０５の発光輝度６４とバックライト制御領域５１６の発光輝度６４との差分値の絶対値は、０である。サブ制御領域６０６の発光輝度１２８とバックライト制御領域５１６の発光輝度６４との差分値の絶対値は、６４である。サブ制御領域６０７の発光輝度１２８とバックライト制御領域５１７の発光輝度１２８との差分値の絶対値は、０である。サブ制御領域６０８の発光輝度６４とバックライト制御領域５１７の発光輝度１２８との差分値の絶対値は、６４である。サブ制御領域６０９の発光輝度６４とバックライト制御領域５１８の発光輝度６４との差分値の絶対値は、０である。実施例５では、先述の所定の閾値を１６とする。この場合、差分値の絶対値が所定の閾値より大きいサブ制御領域は、サブ制御領域６０４、６０６、６０８となる。つまり、実施例５では、サブ制御領域６０４、６０６、６０８が、発光輝度補正対象領域として特定される。
【０１９８】
そして、ディスプレイ１２００の隣接発光輝度算出部は、特定した発光輝度補正対象領域に関する情報と、各ディスプレイの隣接領域情報とに基づいて、図２３に示すように、発光輝度補正対象のサブ制御領域６０４、６０６、６０８の補正発光輝度を決定する。具体的には、実施例５では、サブ制御領域６０４の補正発光輝度は、ディスプレイ１１００の隣接領域情報に基づいて、１２８に設定される。同様に、サブ制御領域６０６の補正発光輝度は６４、サブ制御領域６０８の補正発光輝度は１２８と決定される。
【０１９９】
そして、ディスプレイ１２００の隣接発光輝度算出部は、決定した補正発光輝度を、デ
ィスプレイ１２００の発光輝度補正部に出力する。ディスプレイ１２００の発光輝度補正部は、入力された補正発光輝度により、ディスプレイ１２００の発光輝度決定部が決定した発光輝度を上書きする（Ｓ２３０７）。当該補正された発光輝度に基づいて、バックライトと制御回路と光学ユニットとから構成されるディスプレイ１２００のバックライト部が制御される。さらに、補正された発光輝度に基づきディスプレイ１２００の画像補正部により補正された画像データに基づく画像がディスプレイ１２００の表示パネル部に表示される（Ｓ２３０８）。そして、それと同時にディスプレイ１１００の、表示パネル１１０９１とドライバ１１０９２とコントロール基板１１０９３とから構成される表示パネル部１１０９にも、入力された画像データに基づく画像が表示される（Ｓ２３０９）。
【０２００】
以上の処理によって、マルチ画面表示システムを構成するローカルディミング制御機能を有し、かつ、互いにバックライト制御領域の分割構成が異なるディスプレイ間の境界部において、発光輝度を互いに近づけることができ、輝度差を小さくできる。（実施例５では、輝度差をなくすことができる。）その結果、マルチ画面表示システムにおいて、ディスプレイ間の境界部における輝度の不連続性を抑制し、高い画質でマルチ画像表示を行うことができる。
【０２０１】
なお、実施例５では、ディスプレイ１２００の発光輝度補正対象領域の補正発光輝度は、ディスプレイ１１００の隣接領域の発光輝度と同じ値になるように設定されるが、これに限らない。ディスプレイ１１００の隣接領域の発光輝度と、ディスプレイ１２００の発光輝度補正対象領域の発光輝度とが近づくように、補正発光輝度が設定されれば、ディスプレイ間の境界部における輝度の不連続性を抑制することができる。また、実施例５では、バックライト制御領域の分割数が多い方のディスプレイのバックライト制御領域に合わせて分割数が少ない方のディスプレイのバックライト制御領域をサブ制御領域にさらに分割する例について説明したが、これに限らない。例えば、バックライト制御領域の分割数が多い方のディスプレイのバックライト制御領域の分割数を少なくして、バックライト制御領域の分割数が少ない方のディスプレイのバックライト制御領域の大きさと一致させるようにしてもよい。また、両方のディスプレイのバックライト制御領域をサブ制御領域に分割してもよい。
【０２０２】
以上、図面を参照しながら本発明の好ましい実施例について説明したが、本発明は係る実施例に限定されない。例えば、一方のディスプレイのみに発光輝度補正を行う構成でもよいし、ディスプレイ間の輝度差を小さくするように、両方のディスプレイにおいて発光輝度補正を行う構成でもよい。
【０２０３】
また、以上の実施例において、発光輝度補正対象領域を特定するための条件の閾値が、０であってもよい。言い換えれば、各ディスプレイの隣接領域間で、少しでも輝度差があれば、上記発光輝度補正を実行してもよい。また、実施例５で説明した、隣接するディスプレイ間でバックライト制御領域のサイズが異なる場合にバックライト制御領域のサイズを変更する処理は、実施例１〜５の構成においても適用できる。また、サイズを変更する対象となるバックライト制御領域は、ディスプレイの全てのバックライト制御領域であってもよいし、ディスプレイ間の境界部に隣接するバックライト制御領域だけであってもよい。
【０２０４】
以上の実施例では、マルチ画面表示システムを構成する複数のディスプレイの各々と画像出力装置とが接続され、画像出力装置から各ディスプレイに対して画像データが出力される構成について説明したが、これに限らない。
【０２０５】
例えば、画像出力装置がマルチ画面表示システムを構成する複数のディスプレイのうちの１つのディスプレイにだけ画像データを出力する構成でもよい。この場合、画像出力装
置から画像データを受信するディスプレイをマスターディスプレイとする。マスターディスプレイの画像入力部が、画像出力装置から取得した画像データから、自身のディスプレイで表示する画像領域の画像データを切り出し、さらに、各スレーブディスプレイで表示する画像領域の画像データの切り出しも行う。マスターディスプレイは、各スレーブディスプレイ用に切り出した画像データを、通信部を介して、各スレーブディスプレイに送信する。マスターディスプレイは、ディスプレイ情報管理部が有するディスプレイ配置情報に基づいて、各スレーブディスプレイ用に切り出す画像領域（座標、サイズ）を算出する。
【０２０６】
このような構成とする場合、マスターディスプレイにおける画像入力部とディスプレイ情報管理部とを信号線で接続する。画像入力部は、マスターディスプレイ及び各スレーブディスプレイ用に切り出す画像領域に関する情報を、ディスプレイ情報管理部から取得し、画像入力部が各ディスプレイで表示する画像領域の画像データを切り出す。マスターディスプレイの画像入力部と通信部とを信号線で接続し、画像入力部が切り出した各スレーブディスプレイ用の画像データを、通信部を介してマスターディスプレイから各スレーブディスプレイに出力する。
【０２０７】
また、スレーブディスプレイの通信部と画像入力部とを信号線で接続する。スレーブディスプレイの画像入力部は、自身の通信部から受信した画像データに対して、複数のフレームで構成される画像データに変換して出力する機能を備える。スレーブディスプレイは、通信部を介してマスターディスプレイから当該スレーブディスプレイが表示する画像領域の画像データを受信し、画像入力部に出力する。スレーブディスプレイの画像入力部は、受信した画像データに対して、画素値調整や平滑処理を行って表示を行う。
【０２０８】
以上の実施例は、発光輝度を部分的に制御可能なバックライトを備えるが、ローカルディミング制御機能を有しないディスプレイから構成されるマルチ画面表示システムにも適用できる。例えば、ディスプレイ間において、バックライトの発光輝度が異なる場合、一方のディスプレイのバックライト発光輝度を、他のディスプレイのバックライト発光輝度と同じ値になるように補正してもよい。
【０２０９】
また、本発明では、画像出力装置が、マルチ画面表示システムで表示する画像の画像データから、各ディスプレイで表示する画像領域の画像データを切り出し、各ディスプレイへ出力する構成を例示したが、これに限らない。例えば、画像出力装置が、マルチ画面表示システムで表示する画像全体の画像データを各ディスプレイに出力し、各ディスプレイが、当該全体画像の画像データから自ディスプレイで表示する画像領域の画像データを切り出す構成であってもよい。この構成の場合、切り出す画像領域に関する情報（座標やサイズ）は、ディスプレイ情報管理部がディスプレイ情報の１つとして有していればよい。さらに、各ディスプレイにおいて、画像入力部とディスプレイ情報管理部とを信号線で接続し、画像入力部は、切り出す画像領域に関する情報をディスプレイ情報管理部から取得し、その情報に基づき、自ディスプレイで表示する画像の画像データを切り出す。
【０２１０】
上記各実施例において、２つのディスプレイ間の境界を挟んで隣接するバックライト制御領域間の発光輝度の差が大きい場合に、発光輝度の差が小さくなるように当該隣接するバックライト制御領域の発光輝度を補正する種々の輝度補正方法を例示した。各実施例は、この輝度補正の実行主体を種々異ならせた実施例であり、実施例１〜３は画像出力装置が実行主体となり、実施例４〜５ではディスプレイが実行主体となった。なお、複数のディスプレイをマルチ画面表示システムとして動作させるための統括的な制御を行う表示制御装置が画像出力装置とは別個に存在し、画像出力装置は当該表示制御装置に画像データを出力する構成にも本発明を適用できる。この場合、実施例１〜３の構成において、輝度補正の実行主体を、画像出力装置に代えて、当該マルチ画面表示システム（マルチディス
プレイシステム）を制御する表示制御装置としても良い。このような、各実施例で例示した種々の輝度補正方法と、種々の実行主体とは、任意に組み合わせて本発明を実施することができる。例えば、マルチディスプレイシステムをマスター／スレーブ方式で構成する場合に、マスターディスプレイが実施例１〜３の輝度補正を実行しても良い。また、画像出力装置や上述した表示制御装置が、実施例４〜５の輝度補正を実行しても良い。
【符号の説明】
【０２１１】
１００  画像出力装置、１０３  発光輝度決定部、１０４  発光輝度補正部、１０５  マルチ画面制御部、１１１  通信部、２００  ディスプレイ、２０４  バックライト部、２０５  通信部
【図１】
2014194525.tif 000003
【図２】
2014194525.tif 000004
【図３】
2014194525.tif 000005
【図４】
2014194525.tif 000006
【図５】
2014194525.tif 000007
【図６】
2014194525.tif 000008
【図７】
2014194525.tif 000009
【図８】
2014194525.tif 000010
【図９】
2014194525.tif 000011
【図１０】
2014194525.tif 000012
【図１１】
2014194525.tif 000013
【図１２】
2014194525.tif 000014
【図１３】
2014194525.tif 000015
【図１４】
2014194525.tif 000016
【図１５】
2014194525.tif 000017
【図１６】
2014194525.tif 000018
【図１７】
2014194525.tif 000019
【図１８】
2014194525.tif 000020
【図１９】
2014194525.tif 000021
【図２０】
2014194525.tif 000022
【図２１】
2014194525.tif 000023
【図２２】
2014194525.tif 000024
【図２３】
2014194525.tif 000025
【図２４】
2014194525.tif 000026